(57)【特許請求の範囲】
【請求項１】
ワイヤレス通信の方法であって、
システム帯域幅の第１の周波数帯域中で、送信時間間隔（ＴＴＩ）中に第１のアップリンクメッセージを送信することと、
再チューニング能力を示すシグナリングを送信することと、
第２のＴＴＩの第１の部分中に、送信機を前記システム帯域幅の第２の周波数帯域に再チューンすることと、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のアップリンクメッセージを送信することと、ここにおいて、前記第２のアップリンクメッセージを送信することが、前記第２のＴＴＩの前記第１の部分の周りでレートマッチングすることを備える、
を備える、方法。
【請求項２】
前記第２のＴＴＩの前記第１の部分の前記持続時間が、ユーザ機器（ＵＥｓ）の間の特定された再チューニング時間に少なくとも部分的に基づく、請求項１に記載の方法。
【請求項３】
前記第２のＴＴＩの前記第２の部分が、前記第２のＴＴＩの前記第１の部分によってパンクチャされる、請求項１に記載の方法。
【請求項４】
ワイヤレス通信の方法であって、
システム帯域幅の第１の周波数帯域中で、第１の送信時間間隔（ＴＴＩ）中に第１のダウンリンクメッセージを受信することと、
再チューニング能力を示すシグナリングを送信することと、
第２のＴＴＩの第１の部分中に、受信機を前記システム帯域幅の第２の周波数帯域に再チューンすることと、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のダウンリンクメッセージを受信することと、ここにおいて、前記第２のダウンリンクメッセージが、前記第１のダウンリンクメッセージの周りでレートマッチングされる、
を備える、方法。
【請求項５】
前記第２のＴＴＩの前記第１の部分が、前記第２のＴＴＩのデータ領域の一部と制御領域とを備える、請求項４に記載の方法。
【請求項６】
前記第２のＴＴＩの前記第１の部分が前記第２のダウンリンクメッセージの一部を備えると決定することと、および
他のデータを備えるシンボルによって前記第２のダウンリンクメッセージがパンクチャされるという仮定に少なくとも部分的に基づいて、前記第２のダウンリンクメッセージを復号することと
をさらに備える、請求項４に記載の方法。
【請求項７】
前記第２のＴＴＩの前記第１の部分が、前記第２のＴＴＩの初期シンボル期間を備え、ここにおいて、前記方法が、
前記第２のＴＴＩの前記初期シンボル期間以外の前記第２のＴＴＩのシンボル中で基準信号を受信することを備える、
請求項４に記載の方法。
【請求項８】
前記基準信号を使用して、チャネル推定、周波数追跡、または時間追跡を実行すること、ここにおいて、前記基準信号のパターンが、前記第１から前記第２の周波数帯域にチューンするためのものとしての前記第２のＴＴＩの前記指定に少なくとも部分的に基づく、
をさらに備える、請求項７に記載の方法。
【請求項９】
前記システム帯域幅の前記第１の周波数帯域から前記システム帯域幅の前記第２の周波数帯域にチューンするために前記第２のＴＴＩが指定されたことを示すシグナリングを受信すること
をさらに備える、請求項７に記載の方法。
【請求項１０】
前記シグナリングがシステム情報を備える、請求項９に記載の方法。
【請求項１１】
ワイヤレス通信のための装置であって、
システム帯域幅の第１の周波数帯域中で、送信時間間隔（ＴＴＩ）中に第１のアップリンクメッセージを送信するための手段と、
再チューニング能力を示すシグナリングを送信するための手段と、
第２のＴＴＩの第１の部分中に、送信機を前記システム帯域幅の第２の周波数帯域に再チューンするための手段と、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のアップリンクメッセージを送信するための手段と、
前記第２のＴＴＩの前記第１の部分の周りでレートマッチングするための手段と
を備える、装置。
【請求項１２】
前記第２のＴＴＩの前記第１の部分の持続時間が、ユーザ機器の間の特定された再チューニング時間に少なくとも部分的に基づく、請求項１１に記載の装置。
【請求項１３】
ワイヤレス通信のための装置であって、
システム帯域幅の第１の周波数帯域中で、第１の送信時間間隔（ＴＴＩ）中に第１のダウンリンクメッセージを受信するための手段と、
再チューニング能力を示すシグナリングを送信するための手段と、
第２のＴＴＩの第１の部分中に、受信機を前記システム帯域幅の第２の周波数帯域に再チューンするための手段と、ここにおいて、前記第２のＴＴＩの前記第１の部分の持続時間が、前記再チューニング能力に少なくとも部分的に基づく、および
前記第２の周波数帯域中で、前記第２のＴＴＩの第２の部分中に第２のダウンリンクメッセージを受信するための手段と、ここにおいて、前記第２のダウンリンクメッセージが、前記第１のダウンリンクメッセージの周りでレートマッチングされる、
を備える、装置。
【請求項１４】
前記第２のＴＴＩの前記第１の部分が、前記第２のＴＴＩのデータ領域の一部と制御領域とを備える、請求項１３に記載の装置。
【請求項１５】
前記第２のＴＴＩの前記第１の部分が前記第２のダウンリンクメッセージの一部を備えると決定するための手段と、
他のデータを備えるシンボルによって前記第２のダウンリンクメッセージがパンクチャされるという仮定に少なくとも部分的に基づいて、前記第２のダウンリンクメッセージを復号するための手段と
をさらに備える、請求項１４に記載の装置。
【発明の詳細な説明】
【相互参照】
【０００１】
[0001]本特許出願は、２０１６年６月２０日に出願された、「Retuning for Enhanced Machine Type Communication」と題する、Ｒｉｃｏ  Ａｌｖａｒｉｎｏらによる米国特許出願第１５／１８７，５８６号、２０１６年２月１４日に出願された、「Retuning for Enhanced Machine Type Communication」と題する、Ｒｉｃｏ  Ａｌｖａｒｉｎｏらによる米国仮特許出願第６２／２９５，１０２号、２０１５年７月２日に出願された、「Retuning for Enhanced Machine Type Communication」と題する、Ｒｉｃｏ  Ａｌｖａｒｉｎｏらによる米国仮特許出願第６２／１８８，３６７号、および２０１５年６月２５日に出願された、「Retuning For Enhanced Machine Type Communication」と題する、Ｒｉｃｏ  Ａｌｖａｒｉｎｏらによる米国仮特許出願第６２／１８４，８５０号の優先権を主張し、各々が本出願の譲受人に譲渡された。
【背景技術】
【０００２】
[0002]以下は、一般にワイヤレス通信に関し、より詳細には、拡張マシンタイプ通信（ｅＭＴＣ：enhanced machine type communication）のための再チューニングに関する。
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数の(multiple)ユーザとの通信をサポートすることが可能であり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。ワイヤレス多元接続通信システムは、場合によってはユーザ機器（ＵＥ）として知られていることがある、複数の(multiple)通信デバイスのための通信を各々が同時にサポートする、いくつかの基地局を含み得る。
【０００４】
[0004]いくつかのワイヤレスシステムでは、送信信号の周波数は周期的に変更され得る。この周波数ホッピングは、周波数ダイバーシティを達成するのを助け得、狭帯域干渉を回避するのを助け得る。いくつかの場合には、ＵＥは、広帯域動作能力を有し得、周波数が変更されるので信号を受信し得る。しかし、限られた送信および受信能力を有するいくつかのデバイスの場合、広帯域動作がサポートされないことがある。したがって、これらのタイプのデバイスは、周波数ホッピングをサポートするために、それらの受信機または送信機の部分を再チューンする必要があり得る。
【発明の概要】
【０００５】
[0005]ユーザ機器（ＵＥ）、および基地局などのネットワーク機器は、システム内での周波数ホッピングをサポートするようにそれらの動作を調整し得る。たとえば、マシンタイプ通信（ＭＴＣ：machine type communication）  ＵＥが、様々な周波数帯域上での動作をサポートするために、それの受信または送信チェーン（chain）の部分を再チューンする必要があり得る。この再チューニング（retuning）は、ＭＴＣ  ＵＥおよび基地局が考慮し得る遅延をもたらし得、基地局とＵＥの両方が遅延を予期または考慮する場合、再チューニングの持続時間は著しく低減され得る（たとえば、シンボル期間程度）。たとえば、基地局は、ＭＴＣ  ＵＥの再チューニングを考慮するために、一定の時間期間（たとえば、１つ、２つ、または３つのシンボル期間）の間、送信するのを控え得る。いくつかの場合には、基地局はまた、アップリンク通信についての周波数ホッピング遅延を考慮し得る。たとえば、基地局は、アップリンク送信をそれに応じて復号するための再チューニング遅延を決定し得る。
【０００６】
[0006]システムは、カバレージ拡張（ＣＥｓ）を用いた技法を含む、より低い複雑さのデバイスをサポートするための他の技法を採用し得る。たとえば、ＵＥは、復調のためにいくつかの制御チャネル中で基準信号パターンを活用し得る。いくつかの場合には、基地局は、システム内の様々なタイプのＵＥを考慮するために制御チャネル送信を変更し得る。
【０００７】
[0007]ワイヤレス通信の方法が説明される。本方法は、システム帯域幅の第１の周波数帯域中で、送信時間間隔（ＴＴＩ）中に第１のアップリンクメッセージを送信することと、第２のＴＴＩの第１の部分中に、送信機をシステム帯域幅の第２の周波数帯域に再チューンすることと、第２の周波数帯域中で、第２のＴＴＩの第２の部分中に第２のアップリンクメッセージを送信することとを含み得る。
【０００８】
[0008]ワイヤレス通信のための装置が説明される。本装置は、システム帯域幅の第１の周波数帯域中で、ＴＴＩ中に第１のアップリンクメッセージを送信するための手段と、第２のＴＴＩの第１の部分中に、送信機をシステム帯域幅の第２の周波数帯域に再チューンするための手段と、第２の周波数帯域中で、第２のＴＴＩの第２の部分中に第２のアップリンクメッセージを送信するための手段とを含み得る。
【０００９】
[0009]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域中で、ＴＴＩ中に第１のアップリンクメッセージを送信することと、第２のＴＴＩの第１の部分中に、送信機をシステム帯域幅の第２の周波数帯域に再チューンすることと、第２の周波数帯域中で、第２のＴＴＩの第２の部分中に第２のアップリンクメッセージを送信することとを行わせるように動作可能である。
【００１０】
[0010]ワイヤレス通信のためのコードを記憶する非一時的コンピュータ可読媒体が説明される。コードは、システム帯域幅の第１の周波数帯域中で、ＴＴＩ中に第１のアップリンクメッセージを送信することと、第２のＴＴＩの第１の部分中に、送信機をシステム帯域幅の第２の周波数帯域に再チューンすることと、第２の周波数帯域中で、第２のＴＴＩの第２の部分中に第２のアップリンクメッセージを送信することとを行うために実行可能な命令を含み得る。
【００１１】
[0011]本明細書で説明される方法、装置、または非一時的コンピュータ可読媒体のいくつかの例では、第２のＴＴＩの第１の部分の持続時間が、システム帯域幅を用いて動作するＵＥの間の最長再チューニング時間に少なくとも部分的に基づく。追加または代替として、いくつかの例は、第２のアップリンクメッセージを送信するためのプロセス、特徴、手段、または命令を含み得、第２のＴＴＩの第１の部分の周りでレートマッチングすることを備える。
【００１２】
[0012]本明細書で説明される方法、装置、または非一時的コンピュータ可読媒体のいくつかの例では、第２のＴＴＩの第１の部分の持続時間が、送信機の再チューニング能力に少なくとも部分的に基づく。追加または代替として、いくつかの例では、第２のＴＴＩの第２の部分は、第２のＴＴＩの第１の部分によってパンクチャ（punctured）される。
【００１３】
[0013]本明細書で説明される方法、装置、または非一時的コンピュータ可読媒体のいくつかの例は、第２のＴＴＩの第３の部分中で復調基準信号（ＤＭＲＳ：demodulation reference signal）を送信するためのプロセス、特徴、手段、または命令をさらに含み得、ここで、第３の部分は、第１の部分に後続し、第２のＴＴＩの第２の部分に先行する。追加または代替として、いくつかの例は、再チューニング能力を示すシグナリングを送信するためのプロセス、特徴、手段、または命令を含み得、ここにおいて、第２のＴＴＩの第１の部分の持続時間が、再チューニング能力に少なくとも部分的に基づく。
【００１４】
[0014]本明細書で説明される方法、装置、または非一時的コンピュータ可読媒体のいくつかの例は、ＣＥ要件（CE requirement）を識別することと、ＣＥ要件に少なくとも部分的に基づいて第２のＴＴＩの第１の部分の持続時間を決定することとを行うためのプロセス、特徴、手段、または命令をさらに含み得る。
【００１５】
[0015]ワイヤレス通信の方法が説明される。本方法は、システム帯域幅の第１の周波数帯域中で、第１のＴＴＩ中に第１のダウンリンクメッセージを受信することと、第２のＴＴＩの第１の部分中に、受信機をシステム帯域幅の第２の周波数帯域に再チューンすることと、第２の周波数帯域中で、第２のＴＴＩの第２の部分中に第２のダウンリンクメッセージを受信することとを含み得る。
【００１６】
[0016]ワイヤレス通信のための装置が説明される。本装置は、システム帯域幅の第１の周波数帯域中で、第１のＴＴＩ中に第１のダウンリンクメッセージを受信するための手段と、第２のＴＴＩの第１の部分中に、受信機をシステム帯域幅の第２の周波数帯域に再チューンするための手段と、第２の周波数帯域中で、第２のＴＴＩの第２の部分中に第２のダウンリンクメッセージを受信するための手段とを含み得る。
【００１７】
[0017]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域中で、第１のＴＴＩ中に第１のダウンリンクメッセージを受信することと、第２のＴＴＩの第１の部分中に、受信機をシステム帯域幅の第２の周波数帯域に再チューンすることと、第２の周波数帯域中で、第２のＴＴＩの第２の部分中に第２のダウンリンクメッセージを受信することとを行わせるように動作可能である。
【００１８】
[0018]ワイヤレス通信のためのコードを記憶する非一時的コンピュータ可読媒体が説明される。コードは、システム帯域幅の第１の周波数帯域中で、第１のＴＴＩ中に第１のダウンリンクメッセージを受信することと、第２のＴＴＩの第１の部分中に、受信機をシステム帯域幅の第２の周波数帯域に再チューンすることと、第２の周波数帯域中で、第２のＴＴＩの第２の部分中に第２のダウンリンクメッセージを受信することとを行うために実行可能な命令を含み得る。
【００１９】
[0019]本明細書で説明される方法、装置、または非一時的コンピュータ可読媒体のいくつかの例では、第２のＴＴＩの第１の部分は、第２のＴＴＩのデータ領域の一部と制御領域とを備える。追加または代替として、いくつかの例は、第２のＴＴＩの第１の部分が第２のダウンリンクメッセージの一部を備えると決定することと、他のデータを備えるシンボルによって第２のダウンリンクメッセージがパンクチャされるという仮定に少なくとも部分的に基づいて、第２のダウンリンクメッセージを復号することとを行うためのプロセス、特徴、手段、または命令を含み得る。
【００２０】
[0020]本明細書で説明される方法、装置、または非一時的コンピュータ可読媒体のいくつかの例は、再チューニング能力を示すシグナリングを送信するためのプロセス、特徴、手段、または命令をさらに含み得、ここにおいて、第２のＴＴＩの第１の部分の持続時間が、再チューニング能力に少なくとも部分的に基づく。追加または代替として、いくつかの例では、第２のダウンリンクメッセージは、第１のダウンリンクメッセージの周りでレートマッチングされる。
【００２１】
[0021]上記で説明された方法、装置、または非一時的コンピュータ可読媒体のいくつかの例では、第２のＴＴＩの第１の部分は、第２のＴＴＩの初期シンボル期間を備え、ここにおいて、本方法は、第２のＴＴＩの初期シンボル期間以外の第２のＴＴＩのシンボル中で基準信号を受信することを備える。
【００２２】
[0022]上記で説明された方法、装置、または非一時的コンピュータ可読媒体のいくつかの例は、ＴＴＩの基準信号を使用して、チャネル推定、周波数追跡、または時間追跡を実行するためのプロセス、特徴、手段、または命令をさらに含み得、ここにおいて、基準信号のパターンが、第１の周波数帯域から第２の周波数帯域にチューンするためのものとしてのＴＴＩの指定に少なくとも部分的に基づく。
【００２３】
[0023]上記で説明された方法、装置、または非一時的コンピュータ可読媒体のいくつかの例は、システム帯域幅の第１の周波数帯域からシステム帯域幅の第２の周波数帯域にチューンするために第２のＴＴＩが指定されたことを示すシグナリングを受信するためのプロセス、特徴、手段、または命令をさらに含み得る。
【００２４】
[0024]上記で説明された方法、装置、または非一時的コンピュータ可読媒体のいくつかの例では、シグナリングはシステム情報を備える。
【００２５】
[0025]ワイヤレス通信の方法が説明される。本方法は、第１のＴＴＩ中にダウンリンク制御チャネルを受信することと、ダウンリンク制御チャネルがＤＭＲＳパターンを備える、第２のＴＴＩ中にダウンリンクデータチャネルを受信することと、少なくとも、ダウンリンク制御チャネルのＤＭＲＳパターンを使用して、ダウンリンクデータチャネルのデータを復調することとを含み得る。
【００２６】
[0026]ワイヤレス通信のための装置が説明される。本装置は、第１のＴＴＩ中にダウンリンク制御チャネルを受信するための手段と、ダウンリンク制御チャネルがＤＭＲＳパターンを備える、第２のＴＴＩ中にダウンリンクデータチャネルを受信するための手段と、少なくとも、ダウンリンク制御チャネルのＤＭＲＳパターンを使用して、ダウンリンクデータチャネルのデータを復調するための手段とを含み得る。
【００２７】
[0027]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、第１のＴＴＩ中にダウンリンク制御チャネルを受信することと、ダウンリンク制御チャネルがＤＭＲＳパターンを備える、第２のＴＴＩ中にダウンリンクデータチャネルを受信することと、少なくとも、ダウンリンク制御チャネルのＤＭＲＳパターンを使用して、ダウンリンクデータチャネルのデータを復調することとを行わせるように動作可能である。
【００２８】
[0028]ワイヤレス通信のためのコードを記憶する非一時的コンピュータ可読媒体が説明される。コードは、第１のＴＴＩ中にダウンリンク制御チャネルを受信することと、ダウンリンク制御チャネルがＤＭＲＳパターンを備える、第２のＴＴＩ中にダウンリンクデータチャネルを受信することと、少なくとも、ダウンリンク制御チャネルのＤＭＲＳパターンを使用して、ダウンリンクデータチャネルのデータを復調することとを行うために実行可能な命令を含み得る。
【００２９】
[0029]本明細書で説明される方法、装置、または非一時的コンピュータ可読媒体のいくつかの例は、ダウンリンクチャネルのためのプリコーディング行列を決定するためのプロセス、特徴、手段、または命令をさらに含み得、ここにおいて、データは、少なくとも、ダウンリンク制御チャネルのセル固有基準信号（ＣＲＳ：cell-specific reference signal）パターンとダウンリンクデータチャネルのＣＲＳパターンとを使用して復調される。
【００３０】
[0030]ワイヤレス通信の方法が説明される。本方法は、短縮フォーマットをもつ物理アップリンク制御チャネル（ＰＵＣＣＨ）と第１の周波数帯域中で異なるＵＥのためにスケジュールされたリソースとを備える第１のＴＴＩの一部分中に基地局と通信することと、ＰＵＣＣＨの持続時間中に第２の周波数帯域に再チューンすることと、第２の周波数帯域中で、第２のＴＴＩの一部分中に基地局と通信することとを含み得る。
【００３１】
[0031]ワイヤレス通信のための装置が説明される。本装置は、短縮フォーマット（shortened format）をもつＰＵＣＣＨと第１の周波数帯域中で異なるＵＥのためにスケジュールされたリソースとを備える第１のＴＴＩの一部分中に基地局と通信するための手段と、ＰＵＣＣＨの持続時間中に第２の周波数帯域に再チューンするための手段と、第２の周波数帯域中で、第２のＴＴＩの一部分中に基地局と通信するための手段とを含み得る。
【００３２】
[0032]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、短縮フォーマットをもつＰＵＣＣＨと第１の周波数帯域中で異なるＵＥのためにスケジュールされたリソースとを備える第１のＴＴＩの一部分中に基地局と通信することと、ＰＵＣＣＨの持続時間中に第２の周波数帯域に再チューンすることと、第２の周波数帯域中で、第２のＴＴＩの一部分中に基地局と通信することとを行わせるように動作可能である。
【００３３】
[0033]ワイヤレス通信のためのコードを記憶する非一時的コンピュータ可読媒体が説明される。コードは、短縮フォーマットをもつＰＵＣＣＨと第１の周波数帯域中で異なるＵＥのためにスケジュールされたリソースとを備える第１のＴＴＩの一部分中に基地局と通信することと、ＰＵＣＣＨの持続時間中に第２の周波数帯域に再チューンすることと、第２の周波数帯域中で、第２のＴＴＩの一部分中に基地局と通信することとを行うために実行可能な命令を含み得る。
【００３４】
[0034]ワイヤレス通信の方法が説明される。本方法は、システム帯域幅の第１の周波数帯域中で、第１のＴＴＩ中に第１のダウンリンクメッセージをＵＥに送信することと、ＵＥによる再チューニングを考慮するために、第２のＴＴＩの第１の部分中にＵＥに送信することを控えること（refraining）と、第２の周波数帯域中で、第２のＴＴＩの第２の部分中に第２のダウンリンクメッセージをＵＥに送信することとを含み得る。
【００３５】
[0035]ワイヤレス通信のための装置が説明される。本装置は、システム帯域幅の第１の周波数帯域中で、第１のＴＴＩ中に第１のダウンリンクメッセージをＵＥに送信するための手段と、ＵＥによる再チューニングを考慮するために、第２のＴＴＩの第１の部分中にＵＥに送信することを控えるための手段と、第２の周波数帯域中で、第２のＴＴＩの第２の部分中に第２のダウンリンクメッセージをＵＥに送信するための手段とを含み得る。
【００３６】
[0036]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域中で、第１のＴＴＩ中に第１のダウンリンクメッセージをＵＥに送信することと、ＵＥによる再チューニングを考慮するために、第２のＴＴＩの第１の部分中にＵＥに送信することを控えることと、第２の周波数帯域中で、第２のＴＴＩの第２の部分中に第２のダウンリンクメッセージをＵＥに送信することとを行わせるように動作可能である。
【００３７】
[0037]ワイヤレス通信のためのコードを記憶する非一時的コンピュータ可読媒体が説明される。コードは、システム帯域幅の第１の周波数帯域中で、第１のＴＴＩ中に第１のダウンリンクメッセージをＵＥに送信することと、ＵＥによる再チューニングを考慮するために、第２のＴＴＩの第１の部分中にＵＥに送信することを控えることと、第２の周波数帯域中で、第２のＴＴＩの第２の部分中に第２のダウンリンクメッセージをＵＥに送信することとを行うために実行可能な命令を含み得る。
【００３８】
[0038]本明細書で説明される方法、装置、または非一時的コンピュータ可読媒体のいくつかの例は、ＵＥの間の特定された再チューニング時間に少なくとも部分的に基づいて、第２のＴＴＩの第１の部分の持続時間を決定するためのプロセス、特徴、手段、または命令をさらに含み得る。追加または代替として、いくつかの例では、第２のＴＴＩの第１の部分は、第２のＴＴＩのデータ領域の一部と制御領域とを備える。
【００３９】
[0039]本明細書で説明される方法、装置、または非一時的コンピュータ可読媒体のいくつかの例は、第２のダウンリンクメッセージを送信するためのプロセス、特徴、手段、または命令をさらに含み得、第２のＴＴＩの第１の部分の周り（around）でレートマッチングすることを備える。追加または代替として、いくつかの例は、第２のＴＴＩの第１の部分の持続時間が第２のＴＴＩの制御領域を備えると決定するためのプロセス、特徴、手段、または命令を含み得る。
【００４０】
[0040]本明細書で説明される方法、装置、または非一時的コンピュータ可読媒体のいくつかの例は、再チューニング能力を示すシグナリングをＵＥから受信することと、再チューニング能力に少なくとも部分的に基づいて、第２のＴＴＩの第１の部分の持続時間を決定することとを行うためのプロセス、特徴、手段、または命令をさらに含み得る。追加または代替として、いくつかの例は、ＵＥのためのＣＥ要件を識別することと、ＣＥ要件に少なくとも部分的に基づいて、第２のＴＴＩの第１の部分の持続時間を決定することとを行うためのプロセス、特徴、手段、または命令を含み得る。
【００４１】
[0041]ワイヤレス通信の方法が説明される。本方法は、システム帯域幅の第１の周波数帯域中で、第１のＴＴＩ中にＵＥから第１のアップリンクメッセージを受信することと、システム帯域幅の第２の周波数帯域中で、第２のＴＴＩ中にＵＥから第２のアップリンクメッセージを受信することと、ＵＥが第１の周波数帯域から第２の周波数帯域に再チューンするための持続時間を決定することと、決定された持続時間に少なくとも部分的に基づいて、第２のアップリンクメッセージを復号することとを含み得る。
【００４２】
[0042]ワイヤレス通信のための装置が説明される。本装置は、システム帯域幅の第１の周波数帯域中で、第１のＴＴＩ中にＵＥから第１のアップリンクメッセージを受信するための手段と、システム帯域幅の第２の周波数帯域中で、第２のＴＴＩ中にＵＥから第２のアップリンクメッセージを受信するための手段と、ＵＥが第１の周波数帯域から第２の周波数帯域に再チューンするための持続時間を決定するための手段と、決定された持続時間に少なくとも部分的に基づいて、第２のアップリンクメッセージを復号するための手段とを含み得る。
【００４３】
[0043]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域中で、第１のＴＴＩ中にＵＥから第１のアップリンクメッセージを受信することと、システム帯域幅の第２の周波数帯域中で、第２のＴＴＩ中にＵＥから第２のアップリンクメッセージを受信することと、ＵＥが第１の周波数帯域から第２の周波数帯域に再チューンするための持続時間を決定することと、決定された持続時間に少なくとも部分的に基づいて、第２のアップリンクメッセージを復号することとを行わせるように動作可能である。
【００４４】
[0044]ワイヤレス通信のためのコードを記憶する非一時的コンピュータ可読媒体が説明される。コードは、システム帯域幅の第１の周波数帯域中で、第１のＴＴＩ中にＵＥから第１のアップリンクメッセージを受信することと、システム帯域幅の第２の周波数帯域中で、第２のＴＴＩ中にＵＥから第２のアップリンクメッセージを受信することと、ＵＥが第１の周波数帯域から第２の周波数帯域に再チューンするための持続時間を決定することと、決定された持続時間に少なくとも部分的に基づいて、第２のアップリンクメッセージを復号することとを行うために実行可能な命令を含み得る。
【００４５】
[0045]本明細書で説明される方法、装置、または非一時的コンピュータ可読媒体のいくつかの例では、ＵＥが再チューンするための持続時間を決定することは、システム帯域幅内で動作するＵＥの間の最長再チューニング時間（longest retuning time）に少なくとも部分的に基づいて持続時間を決定することを備える。追加または代替として、いくつかの例は、第２のＴＴＩの第１の部分中に第２のアップリンクメッセージを監視することと、第２のＴＴＩの第１の部分内の第２のアップリンクメッセージの一部を検出することとを行うためのプロセス、特徴、手段、または命令を含み得、ここにおいて、ＵＥが再チューンするための持続時間を決定することは、第２のアップリンクメッセージの一部を検出することに少なくとも部分的に基づく。
【００４６】
[0046]本明細書で説明される方法、装置、または非一時的コンピュータ可読媒体のいくつかの例は、第２のＴＴＩの第１の部分中にＤＭＲＳを監視することと、第２のＴＴＩの第１の部分中のＤＲＭＳを受信することに少なくとも部分的に基づいて、第２のアップリンクメッセージを検出することとを行うためのプロセス、特徴、手段、または命令をさらに含み得、ここにおいて、ＵＥが再チューンするための持続時間を決定することは、ＤＭＲＳを受信することに少なくとも部分的に基づき、ここにおいて、第２のアップリンクメッセージは、第２のＴＴＩの第２の部分中に受信される。追加または代替として、いくつかの例は、ＵＥからシグナリングを受信すること、シグナリングは、ＵＥが再チューンするための持続時間を示す、を行うためのプロセス、特徴、手段、または命令を含み得、ここにおいて、持続時間は、シグナリングに少なくとも部分的に基づいて決定される。
【００４７】
[0047]本明細書で説明される方法、装置、または非一時的コンピュータ可読媒体のいくつかの例は、ＵＥのためのＣＥ要件を識別するためのプロセス、特徴、手段、または命令をさらに含み得、ここにおいて、ＵＥが再チューンするための持続時間は、ＣＥ要件に少なくとも部分的に基づいて決定される。追加または代替として、いくつかの例では、第２のアップリンクメッセージは、第１のダウンリンクメッセージの周りでレートマッチングされる。
【００４８】
[0048]ワイヤレス通信の方法が説明される。本方法は、第１のＴＴＩ中にダウンリンク制御チャネルを送信することと、ダウンリンク制御チャネルが、ＤＭＲＳパターンを備え、プリコーダを使用して送信される、第２のＴＴＩ中にダウンリンクデータチャネルを送信することと、ここにおいて、ダウンリンクデータチャネルが、プリコーダを使用して送信される、を含み得る。
【００４９】
[0049]ワイヤレス通信のための装置が説明される。本装置は、第１のＴＴＩ中にダウンリンク制御チャネルを送信するための手段と、ダウンリンク制御チャネルが、ＤＭＲＳパターンを備え、プリコーダを使用して送信される、第２のＴＴＩ中にダウンリンクデータチャネルを送信するための手段と、ここにおいて、ダウンリンクデータチャネルが、プリコーダを使用して送信される、を含み得る。
【００５０】
[0050]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、第１のＴＴＩ中にダウンリンク制御チャネルを送信することと、ダウンリンク制御チャネルが、ＤＭＲＳパターンを備え、プリコーダを使用して送信される、第２のＴＴＩ中にダウンリンクデータチャネルを送信することと、ここにおいて、ダウンリンクデータチャネルが、プリコーダを使用して送信される、を行わせるように動作可能である。
【００５１】
[0051]ワイヤレス通信のためのコードを記憶する非一時的コンピュータ可読媒体が説明される。コードは、第１のＴＴＩ中にダウンリンク制御チャネルを送信することと、ダウンリンク制御チャネルが、ＤＭＲＳパターンを備え、プリコーダを使用して送信される、第２のＴＴＩ中にダウンリンクデータチャネルを送信することと、ここにおいて、ダウンリンクデータチャネルが、プリコーダを使用して送信される、を行うために実行可能な命令を含み得る。
【００５２】
[0052]ワイヤレス通信の方法が説明される。本方法は、制御チャネルフォーマットを示すシグナリングをＵＥに送信することと、制御信号が制御チャネルフォーマットを超えると決定することと、データ信号をＵＥに送信することと、ここにおいて、データ信号が制御信号の一部分によってパンクチャされる、を含み得る。
【００５３】
[0053]ワイヤレス通信のための装置が説明される。本装置は、制御チャネルフォーマットを示すシグナリングをＵＥに送信するための手段と、制御信号が制御チャネルフォーマットを超えると決定するための手段と、データ信号をＵＥに送信するための手段と、ここにおいて、データ信号が制御信号の一部分によってパンクチャされる、を含み得る。
【００５４】
[0054]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、制御チャネルフォーマットを示すシグナリングをＵＥに送信することと、制御信号が制御チャネルフォーマットを超えると決定することと、データ信号をＵＥに送信することと、ここにおいて、データ信号が制御信号の一部分によってパンクチャされる、を行わせるように動作可能である。
【００５５】
[0055]ワイヤレス通信のためのコードを記憶する非一時的コンピュータ可読媒体が説明される。コードは、制御チャネルフォーマットを示すシグナリングをＵＥに送信することと、制御信号が制御チャネルフォーマットを超えると決定することと、データ信号をＵＥに送信することと、ここにおいて、データ信号が制御信号の一部分によってパンクチャされる、を行うために実行可能な命令を含み得る。
【００５６】
[0056]本明細書で説明される方法、装置、または非一時的コンピュータ可読媒体のいくつかの例では、データ信号を送信することは、電力ブーストされたデータ信号を送信することを備える。
【００５７】
[0057]ワイヤレス通信の方法が説明される。本方法は、第１のＴＴＩの一部分、それが短縮ＰＵＣＣＨを備えると決定することと、決定に少なくとも部分的に基づいて、第１の周波数帯域中で第１のＴＴＩの一部分中に第２のＵＥと通信することと、決定に少なくとも部分的に基づいて、第２の周波数帯域中で第２のＴＴＩの一部分中に第２のＵＥと通信することとを含み得る。
【００５８】
[0058]ワイヤレス通信のための装置が説明される。本装置は、第１のＴＴＩの一部分、それが短縮ＰＵＣＣＨを備えると決定するための手段と、決定に少なくとも部分的に基づいて、第１の周波数帯域中で第１のＴＴＩの一部分中に第２のＵＥと通信するための手段と、決定に少なくとも部分的に基づいて、第２の周波数帯域中で第２のＴＴＩの一部分中に第２のＵＥと通信するための手段とを含み得る。
【００５９】
[0059]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、第１のＴＴＩの一部分、それが短縮ＰＵＣＣＨを備えると決定することと、決定に少なくとも部分的に基づいて、第１の周波数帯域中で第１のＴＴＩの一部分中に第２のＵＥと通信することと、決定に少なくとも部分的に基づいて、第２の周波数帯域中で第２のＴＴＩの一部分中に第２のＵＥと通信することとを行わせるように動作可能である。
【００６０】
[0060]ワイヤレス通信のためのコードを記憶する非一時的コンピュータ可読媒体が説明される。コードは、第１のＴＴＩの一部分、それが短縮ＰＵＣＣＨを備えると決定することと、決定に少なくとも部分的に基づいて、第１の周波数帯域中で第１のＴＴＩの一部分中に第２のＵＥと通信することと、決定に少なくとも部分的に基づいて、第２の周波数帯域中で第２のＴＴＩの一部分中に第２のＵＥと通信することとを行うために実行可能な命令を含み得る。
【００６１】
[0061]ワイヤレス通信のさらなる方法が説明される。本方法は、システム帯域幅の第１の周波数帯域からシステム帯域幅の第２の周波数帯域にチューンするためにＴＴＩが指定されたと決定することと、ＴＴＩの初期シンボル期間中に第１の周波数帯域から第２の周波数帯域にチューンすることと、ＴＴＩの初期シンボル期間以外のＴＴＩのシンボル中で基準信号を受信することとを含み得る。
【００６２】
[0062]ワイヤレス通信のためのさらなる装置が説明される。本装置は、システム帯域幅の第１の周波数帯域からシステム帯域幅の第２の周波数帯域にチューンするためにＴＴＩが指定されたと決定するための手段と、ＴＴＩの初期シンボル期間中に第１の周波数帯域から第２の周波数帯域にチューンするための手段と、ＴＴＩの初期シンボル期間以外のＴＴＩのシンボル中で基準信号を受信するための手段とを含み得る。
【００６３】
[0063]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域からシステム帯域幅の第２の周波数帯域にチューンするためにＴＴＩが指定されたと決定することと、ＴＴＩの初期シンボル期間中に第１の周波数帯域から第２の周波数帯域にチューンすることと、ＴＴＩの初期シンボル期間以外のＴＴＩのシンボル中で基準信号を受信することとを行わせるように動作可能である。
【００６４】
[0064]ワイヤレス通信のためのコードを記憶する非一時的コンピュータ可読媒体が説明される。コードは、システム帯域幅の第１の周波数帯域からシステム帯域幅の第２の周波数帯域にチューンするためにＴＴＩが指定されたと決定することと、ＴＴＩの初期シンボル期間中に第１の周波数帯域から第２の周波数帯域にチューンすることと、ＴＴＩの初期シンボル期間以外のＴＴＩのシンボル中で基準信号を受信することとを行うために実行可能な命令を含み得る。
【００６５】
[0065]本明細書で説明される方法、装置、または非一時的コンピュータ可読媒体のいくつかの例は、ＴＴＩの基準信号を使用して、チャネル推定、周波数追跡、または時間追跡を実行するためのプロセス、特徴、手段、または命令をさらに含み得、ここにおいて、基準信号のパターンが、第１の周波数帯域から第２の周波数帯域にチューンするためのものとしてのＴＴＩの指定に少なくとも部分的に基づく。追加または代替として、いくつかの例は、第１の周波数帯域から第２の周波数帯域にチューンするためにＴＴＩが指定されたという決定に少なくとも部分的に基づいて、ＣＲＳまたはＤＭＲＳを使用して、ＴＴＩ中に受信されたデータを復調するためのプロセス、特徴、手段、または命令を含み得る。
【００６６】
[0066]本明細書で説明される方法、装置、または非一時的コンピュータ可読媒体のいくつかの例は、第１の周波数帯域から第２の周波数帯域にチューンするためにＴＴＩが指定されたことを示すシグナリングを受信するためのプロセス、特徴、手段、または命令をさらに含み得る。追加または代替として、いくつかの例では、シグナリングはシステム情報を備える。
【００６７】
[0067]ワイヤレス通信のさらなる方法が説明される。本方法は、システム帯域幅の第１の周波数帯域からシステム帯域幅の第２の周波数帯域にチューンするためにＴＴＩが指定されたと決定することと、ＴＴＩの初期シンボル期間以外のＴＴＩのシンボル中で基準信号を送信することとを含み得る。
【００６８】
[0068]ワイヤレス通信のためのさらなる装置が説明される。本装置は、システム帯域幅の第１の周波数帯域からシステム帯域幅の第２の周波数帯域にチューンするためにＴＴＩが指定されたと決定するための手段と、ＴＴＩの初期シンボル期間以外のＴＴＩのシンボル中で基準信号を送信するための手段とを含み得る。
【００６９】
[0069]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域からシステム帯域幅の第２の周波数帯域にチューンするためにＴＴＩが指定されたと決定することと、ＴＴＩの初期シンボル期間以外のＴＴＩのシンボル中で基準信号を送信することとを行わせるように動作可能である。
【００７０】
[0070]ワイヤレス通信のためのコードを記憶する非一時的コンピュータ可読媒体が説明される。コードは、システム帯域幅の第１の周波数帯域からシステム帯域幅の第２の周波数帯域にチューンするためにＴＴＩが指定されたと決定することと、ＴＴＩの初期シンボル期間以外のＴＴＩのシンボル中で基準信号を送信することとを行うために実行可能な命令を含み得る。
【００７１】
[0071]ワイヤレス通信のさらなる方法が説明される。本方法は、システム帯域幅の第１の周波数帯域中で、第１のＴＴＩ中に第１のメッセージを送信することと、第２のＴＴＩ中に、送信機をシステム帯域幅の第２の周波数帯域に再チューンすることと、第２の周波数帯域中で、第３のＴＴＩ中に第２のメッセージを送信することとを含み得る。
【００７２】
[0072]ワイヤレス通信のためのさらなる装置が説明される。本装置は、システム帯域幅の第１の周波数帯域中で、第１のＴＴＩ中に第１のメッセージを送信するための手段と、第２のＴＴＩ中に、送信機をシステム帯域幅の第２の周波数帯域に再チューンするための手段と、第２の周波数帯域中で、第３のＴＴＩ中に第２のメッセージを送信するための手段とを含み得る。
【００７３】
[0073]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域中で、第１のＴＴＩ中に第１のメッセージを送信することと、第２のＴＴＩ中に、送信機をシステム帯域幅の第２の周波数帯域に再チューンすることと、第２の周波数帯域中で、第３のＴＴＩ中に第２のメッセージを送信することとを行わせるように動作可能である。
【００７４】
[0074]ワイヤレス通信のためのコードを記憶するさらなる非一時的コンピュータ可読媒体が説明される。コードは、システム帯域幅の第１の周波数帯域中で、第１のＴＴＩ中に第１のメッセージを送信することと、第２のＴＴＩ中に、送信機をシステム帯域幅の第２の周波数帯域に再チューンすることと、第２の周波数帯域中で、第３のＴＴＩ中に第２のメッセージを送信することとを行うために実行可能な命令を含み得る。
【００７５】
[0075]いくつかの例では、第２のメッセージは、第３のＴＴＩまたは別のＴＴＩのリソースの周りでレートマッチングすることなしに送信される。本明細書で説明される方法、装置、または非一時的コンピュータ可読媒体のいくつかの例は、第２のＴＴＩは受信デバイスが周波数ホッピング動作を実行するための時間間隔を備えると決定するためのプロセス、特徴、手段、または命令をさらに含み得、ここにおいて、送信機は、決定に少なくとも部分的に基づいて第２のＴＴＩ中に再チューンされる。いくつかの例では、周波数ホッピング動作は、受信デバイスにおける再チューニング動作を備える。
【００７６】
[0076]本明細書で説明される方法、装置、または非一時的コンピュータ可読媒体のいくつかの例は、第１のＴＴＩおよび第３のＴＴＩが第１の送信方向のために構成されたと決定することと、第２のＴＴＩが第１の送信方向と反対である第２の送信方向のために構成されたと決定することとを行うためのプロセス、特徴、手段、または命令をさらに含み得、ここにおいて、送信機は、第２のＴＴＩが第２の送信方向のために構成されたという決定に少なくとも部分的に基づいて、第２のＴＴＩ中に再チューンされる。いくつかの例では、第１の送信方向および第２の送信方向はそれぞれ、アップリンク送信方向またはダウンリンク送信方向のうちの１つを備える。
【００７７】
[0077]ワイヤレス通信のさらなる方法が説明される。本方法は、システム帯域幅の第１の周波数帯域中で、第１のＴＴＩ中に第１のメッセージを受信することと、第２のＴＴＩ中に、受信機をシステム帯域幅の第２の周波数帯域に再チューンすることと、第２の周波数帯域中で、第３のＴＴＩ中に第２のメッセージを受信することとを含み得る。
【００７８】
[0078]ワイヤレス通信のためのさらなる装置が説明される。本装置は、システム帯域幅の第１の周波数帯域中で、第１のＴＴＩ中に第１のメッセージを受信するための手段と、第２のＴＴＩ中に、受信機をシステム帯域幅の第２の周波数帯域に再チューンするための手段と、第２の周波数帯域中で、第３のＴＴＩ中に第２のメッセージを受信するための手段とを含み得る。
【００７９】
[0079]ワイヤレス通信のためのさらなる装置が説明される。本装置は、プロセッサと、プロセッサと電子通信しているメモリと、メモリに記憶された命令とを含み得、命令は、プロセッサによって実行されたとき、本装置に、システム帯域幅の第１の周波数帯域中で、第１のＴＴＩ中に第１のメッセージを受信することと、第２のＴＴＩ中に、受信機をシステム帯域幅の第２の周波数帯域に再チューンすることと、第２の周波数帯域中で、第３のＴＴＩ中に第２のメッセージを受信することとを行わせるように動作可能である。
【００８０】
[0080]ワイヤレス通信のためのコードを記憶するさらなる非一時的コンピュータ可読媒体が説明される。コードは、システム帯域幅の第１の周波数帯域中で、第１のＴＴＩ中に第１のメッセージを受信することと、第２のＴＴＩ中に、受信機をシステム帯域幅の第２の周波数帯域に再チューンすることと、第２の周波数帯域中で、第３のＴＴＩ中に第２のメッセージを受信することとを行うために実行可能な命令を含み得る。
【００８１】
[0081]いくつかの例では、第２のメッセージは、第３のＴＴＩまたは別のＴＴＩのリソースの周りでレートマッチングすることなしに受信される。本明細書で説明される方法、装置、または非一時的コンピュータ可読媒体のいくつかの例は、第２のＴＴＩは周波数ホッピング動作を実行するための時間間隔を備えると決定するためのプロセス、特徴、手段、または命令をさらに含み得、ここにおいて、受信機は、決定に少なくとも部分的に基づいて第２のＴＴＩ中に再チューンされる。いくつかの例では、周波数動作は、受信機を再チューンすることを備える。
【００８２】
[0082]本明細書で説明される方法、装置、または非一時的コンピュータ可読媒体のいくつかの例は、第１のＴＴＩおよび第３のＴＴＩが第１の送信方向のために構成されたと決定することと、第２のＴＴＩが第１の送信方向と反対である第２の送信方向のために構成されたと決定することとを行うためのプロセス、特徴、手段、または命令をさらに含み得、ここにおいて、受信機は、第２のＴＴＩが第２の送信方向のために構成されたという決定に少なくとも部分的に基づいて、第２のＴＴＩ中に再チューンされる。いくつかの例では、第１の送信方向および第２の送信方向はそれぞれ、アップリンク送信方向またはダウンリンク送信方向のうちの１つを備える。
【００８３】
[0083]本開示の態様は、以下の図を参照して説明される。
【図面の簡単な説明】
【００８４】
【図１】[0084]本開示の様々な態様による、マシンタイプ通信（ＭＴＣ）のための再チューニングをサポートするワイヤレス通信システムの一例を示す図。
【図２】[0085]本開示の様々な態様による、ＭＴＣのための再チューニングをサポートするワイヤレス通信システムの一例を示す図。
【図３Ａ】[0086]本開示の様々な態様による、ＭＴＣのための再チューニングをサポートする周波数ホッピングプロセスの一例を示す図。
【図３Ｂ】本開示の様々な態様による、ＭＴＣのための再チューニングをサポートする周波数ホッピングプロセスの一例を示す図。
【図３Ｃ】本開示の様々な態様による、ＭＴＣのための再チューニングをサポートする周波数ホッピングプロセスの一例を示す図。
【図３Ｄ】本開示の様々な態様による、ＭＴＣのための再チューニングをサポートする周波数ホッピングプロセスの一例を示す図。
【図３Ｅ】本開示の様々な態様による、ＭＴＣのための再チューニングをサポートする周波数ホッピングプロセスの一例を示す図。
【図４Ａ】[0087]本開示の様々な態様による、拡張ＭＴＣ（ｅＭＴＣ）のための再チューニングをサポートするプロセスフローの一例を示す図。
【図４Ｂ】本開示の様々な態様による、ｅＭＴＣのための再チューニングをサポートするプロセスフローの一例を示す図。
【図５】[0088]本開示の様々な態様による、ｅＭＴＣのための再チューニングをサポートするワイヤレスデバイスのブロック図。
【図６】本開示の様々な態様による、ｅＭＴＣのための再チューニングをサポートするワイヤレスデバイスのブロック図。
【図７】本開示の様々な態様による、ｅＭＴＣのための再チューニングをサポートするワイヤレスデバイスのブロック図。
【図８】[0089]本開示の様々な態様による、ＭＴＣのための再チューニングをサポートするユーザ機器（ＵＥ）を含むシステムのブロック図。
【図９】[0090]本開示の様々な態様による、ＭＴＣのための再チューニングをサポートするワイヤレスデバイスのブロック図。
【図１０】本開示の様々な態様による、ＭＴＣのための再チューニングをサポートするワイヤレスデバイスのブロック図。
【図１１】本開示の様々な態様による、ＭＴＣのための再チューニングをサポートするワイヤレスデバイスのブロック図。
【図１２】[0091]本開示の様々な態様による、ＭＴＣのための再チューニングをサポートする基地局を含むシステムのブロック図。
【図１３】[0092]本開示の様々な態様による、ＭＴＣのための再チューニングのための方法を示す図。
【図１４】本開示の様々な態様による、ＭＴＣのための再チューニングのための方法を示す図。
【図１５】本開示の様々な態様による、ＭＴＣのための再チューニングのための方法を示す図。
【図１６】本開示の様々な態様による、ＭＴＣのための再チューニングのための方法を示す図。
【図１７】本開示の様々な態様による、ＭＴＣのための再チューニングのための方法を示す図。
【図１８】本開示の様々な態様による、ＭＴＣのための再チューニングのための方法を示す図。
【図１９】本開示の様々な態様による、ＭＴＣのための再チューニングのための方法を示す図。
【図２０】本開示の様々な態様による、ＭＴＣのための再チューニングのための方法を示す図。
【図２１】本開示の様々な態様による、ＭＴＣのための再チューニングのための方法を示す図。
【図２２】
【図２３】
【詳細な説明】
【００８５】
[0093]いくつかのワイヤレスシステムは、デバイスが人の介入なしに互いにまたは基地局と通信することを可能にするデータ通信技術をサポートする。そのような通信は、マシンタイプ通信（ＭＴＣ）と呼ばれることがある。いくつかの場合には、システムは、拡張ＭＴＣ（ｅＭＴＣ）と呼ばれることがある、ＭＴＣデバイスに合わせて調整された特徴または技法を使用し得る。ＭＴＣデバイスまたはＭＴＣ  ＵＥは、他のユーザ機器（ＵＥ）に対して、低複雑度、低コストデバイスであり得、低電力動作、限られた複信能力、および不十分な無線リンク状態をもつ環境における動作などの特徴によって特徴づけられ得る。ｅＭＴＣをサポートするために、システムは、ＭＴＣデバイスの動作特性を考慮するように構成され得る。いくつかの場合には、ＭＴＣ  ＵＥは、より広いシステム帯域幅内で狭帯域動作を使用し得る。たとえば、ＭＴＣ  ＵＥは、１．４、３、５、１０、１５、または２０ＭＨｚの帯域幅を使用し得る。
【００８６】
[0094]いくつかのワイヤレスシステムでは、送信信号の周波数は周期的に変更され得る。この周波数ホッピングは、周波数ダイバーシティを達成するのを助け得、狭帯域干渉を回避するのを助け得る。いくつかの場合には、ＵＥは、広帯域動作能力を有し得、周波数が変更されるので信号を受信し得る。いくつかのＭＴＣ  ＵＥなど、他のデバイスは、広帯域動作のために構成されないことがある。この場合、デバイスは、周波数が変化するたびに、再チューンする必要があり得る。この再チューニングは、有限時間期間を要し得、増加されたネットワークオーバーヘッドを生じ得る。
【００８７】
[0095]芳しくない性能を回避するために、および狭帯域動作のための周波数再チューニング中の遅延期間を低減するために、再チューニング期間が低減され得る。周波数再チューニングは、たとえば、数個のシンボル期間程度の、サブフレームよりも小さい期間中に行われ得る。さらに、周波数再チューニングは、サブフレームの制御領域中に行われ得る。ＭＴＣデバイスなど、いくつかのデバイスは、制御領域中の情報をいずれにせよ無視し得、したがって、その時間を再チューニングのために使用することが、問題を緩和し得る。したがって、デバイスは、それの送信を受信するために時間内に再チューンし得る。いくつかの場合には、基地局およびＵＥは、特定の再チューニング構成をサポートし得る。他の場合には、基地局は、異なる再チューニング構成をもつＵＥに適応し得、それらの通信に基づいてＵＥの構成を推論し得る。ワイヤレスシステム内で接続された複数の(multiple)ＵＥが異なる構成を有し得る。いくつかの場合には、基地局は、ＵＥのカバレージ拡張（ＣＥ）に基づいて、様々な構成間で切り替わり得る。
【００８８】
[0096]概して、再チューニング構成は、アップリンク（ＵＬ）およびダウンリンク（ＤＬ）について異なり得る。たとえば、ＵＬは、再チューンするために１つのサブフレームを使用し得、ＤＬは、数個のシンボル期間と等価な時間期間を使用し得る。ＵＬの場合、レガシー制御がないことがあり、したがって、再チューニング時間は、スペクトル効率の減少を暗示し得る。いくつかの場合には、ＵＬのための再チューン構成はＣＥに依存し得る。
【００８９】
[0097]いくつかの場合には、ＵＥは、それのＵＬ再チューン時間期間に基づいてレートマッチングし得る。他の例では、ＵＥは、再チューニング時間を考慮するために、アップリンクサブフレームまたはシンボルをパンクチャし得る。基地局は、ＵＥの再チューニング能力を知らないことがある。これらの場合、基地局は、ＵＥがいつ送信し始めるかを検出し得る。いくつかの場合には、たとえば、サブフレーム内の他のシンボル中でアップリンク復調基準信号（ＤＭＲＳ：Demodulation Reference Signal）を送ることに代え、あるいはそれに加えて、再チューニングの後の第１の物理アップリンク共有チャネル（ＰＵＳＣＨ）の第１のシンボル中でＤＭＲＳが送られ得る。ＤＭＲＳは、基地局が検出することがより容易であり得、アップリンク送信の基地局検出を可能にし得る。したがって、基地局がＤＭＲＳを検出した場合、ＤＭＲＳはチャネル推定のために使用され得る。他の例では、ＵＥは、それの再チューン構成を基地局に送り得、基地局は、受信された構成に基づいてＵＬをレートマッチングし得る。
【００９０】
[0098]いくつかの場合には、ＵＥは、ＭＴＣ物理ダウンリンク制御チャネル（ＭＰＤＣＣＨ：MTC physical downlink control channel）と物理ダウンリンク共有チャネル（ＰＤＳＣＨ：physical downlink shared channel）とのために同じアンテナポートを使用し得る。これは、ＭＰＤＣＣＨチャネルとＰＤＳＣＨチャネルとにわたるチャネル推定バンドリング（channel estimation bundling）を可能にし得る。この場合、データまたはＤＭＲＳは、ＭＰＤＣＣＨと、関連するＰＤＳＣＨとにわたって同じプリコーダを使用し得る。いくつかの場合には、ＵＥは、レガシーポートを使用し得るか、または共通ポート、たとえば、ポート２０７／２０９を使用し得る。さらに、プリコーディング行列は、ＭＰＤＣＣＨとＰＤＳＣＨの両方の復調のためにセル固有基準信号（CRS）とＤＭＲＳとが使用され得るように、規格化され得る。
【００９１】
[0099]いくつかのワイヤレスシステムでは、制御フォーマットインジケータ（ＣＦＩ：control format indicator）がＵＥに示され得る。ＣＦＩは制御シンボルの数を含んでいることがある。いくつかの場合には、物理制御フォーマットインジケータチャネル（ＰＣＦＩＣＨ：physical control format indicator channel）は、（たとえば、狭帯域フロントエンドにより）ＵＥによって復号されないことがあり、ＣＦＩは、多数のサブフレームにわたって固定され得る。しかし、基地局が前のＣＦＩ構成をオーバーライド（override）することが有利であり得る。たとえば、基地局は、所与のサブフレーム中の制御情報の大きい負荷を扱い得るが、この決定をＵＥに通信しないことがある。この場合、基地局は、ＰＣＦＩＣＨを変更し、より多くの制御シンボルを送信し得る。基地局はパンクチャリングを実行し得る。たとえば、ＭＴＣ  ＰＤＳＣＨは、レガシーＰＤＣＣＨによってパンクチャされ得る。そのような場合、ＭＴＣ  ＵＥはＣＦＩの変化に気づいていないことがあり、ＵＥは、シグナリングされたＣＦＩを仮定して、ＰＤＳＣＨを復号し得る。他のＵＥは、新しいＰＤＣＣＨ領域にレートマッチングし得る。たとえば、それらは、ＰＣＦＩＣＨを復号し得、その場合、変化に気づいていることがある。
【００９２】
[0100]いくつかの例では、ダウンリンク通信のための周波数再チューニングが、基準信号を含んでいるシンボル期間中に行われ得、それにより、ＵＥが基準信号を受信しないことが生じ得る。以下で説明されるように、基準信号は、チャネル推定、周波数追跡、または時間追跡のために使用され得るＣＲＳ、あるいはチャネル推定、復調などのために使用され得るＤＭＲＳ（またはＵＥ固有基準信号（ＵＥＲＳ：UE-specific reference signal））を含み得る。サブフレームは、シンボル期間０、４、７、および１１中にＣＲＳを含んでいることがあり、シンボル５および６中にＤＭＲＳを含んでいることがある。いくつかの場合には、ＵＥは、ＣＲＳまたはＤＭＲＳなど、基準信号を含む時間期間中に再チューンし得る。たとえば、ＵＥは、シンボル期間０中に再チューンし得、シンボル期間０中に含まれているＣＲＳトーンを受信しないことがある。ＵＥが基準信号を含むシンボル中に異なる周波数に再チューンする状況を回避するために、いくつかのサブフレームが再チューニングサブフレーム（retuning subframe）として指定され得、したがって、ＵＥは、サブフレームが再チューニングサブフレームであると決定し、再チューニングサブフレームの特定のシンボル期間（または他の部分）中に再チューニング動作を実行し（たとえば、トランシーバを再チューンし）得る。
【００９３】
[0101]以下で説明されるように、再チューニングサブフレームが使用される場合、ＵＥはそれの挙動をわずかに調整し得る。たとえば、ＵＥは、再チューニング動作が実行されるシンボル以外のシンボル中のＣＲＳまたはＤＭＲＳ、あるいは両方を活用するように、ＵＥの周波数追跡、時間追跡、またはチャネル推定挙動を変更し得る。そのような場合、ＵＥは、チャネル推定、周波数追跡、または時間追跡のために、シンボル期間４、７、および１１中で受信されたＣＲＳを依然として使用し得る。ＵＥはまた、たとえば、チャネル推定のために、シンボル期間５、および６中で受信されたＤＭＲＳを依然として使用し得る。いくつかの場合には、復調は、再チューニングサブフレーム中のＣＲＳまたはＤＭＲＳのみに基づき得る。このモードは、サブフレームが再チューニングサブフレームであるか否かに基づいて切り替えられ得る。いくつかの場合には、再チューニングサブフレームのみがＤＭＲＳを有し得、他のサブフレームはＣＲＳを有し得る。
【００９４】
[0102]上記で紹介された本開示の態様は、ワイヤレス通信システムのコンテキストにおいて以下でさらに詳細に説明される。次いで、ＭＴＣデバイスを再チューンするための具体的な例が説明される。本開示のこれらおよび他の態様は、ＭＴＣのための再チューニングに関係する装置図、システム図、およびフローチャートによってさらに示され、それらを参照しながら説明される。
【００９５】
[0103]図１は、本開示の様々な態様による、ワイヤレス通信システム１００の一例を示す。ワイヤレス通信システム１００は、基地局１０５と、ＵＥ１１５と、コアネットワーク１３０とを含む。いくつかの例では、ワイヤレス通信システム１００はロングタームエボリューション（ＬＴＥ）／ＬＴＥアドバンスト（ＬＴＥ−Ａ）ネットワークであり得る。
【００９６】
[0104]基地局１０５は、１つまたは複数の基地局アンテナを介して、ＵＥ１１５とワイヤレスに通信し得る。各基地局１０５は、それぞれの地理的カバレージエリア１１０に通信カバレージを与え得る。ワイヤレス通信システム１００に示されている通信リンク１２５は、ＵＥ１１５から基地局１０５へのＵＬ送信、または基地局１０５からＵＥ１１５へのＤＬ送信を含み得る。ＵＥ１１５は、ワイヤレス通信システム１００全体にわたって分散され得、各ＵＥ１１５は固定または移動であり得る。ＵＥ１１５は、移動局、加入者局、リモートユニット、ワイヤレスデバイス、アクセス端末、ハンドセット、ユーザエージェント、クライアント、または何らかの他の好適な用語で呼ばれることもある。ＵＥ１１５はまた、セルラーフォン、ワイヤレスモデム、ハンドヘルドデバイス、パーソナルコンピュータ、タブレット、パーソナル電子デバイス、ＭＴＣデバイスなどであり得る。
【００９７】
[0105]基地局１０５は、コアネットワーク１３０および互いと通信し得る。たとえば、基地局１０５は、バックホールリンク１３２（たとえば、Ｓ１など）を通して、コアネットワーク１３０とインターフェースし得る。基地局１０５は、直接または間接的のいずれかで（たとえば、コアネットワーク１３０を通して）バックホールリンク１３４（たとえば、Ｘ２など）を介して互いと通信し得る。基地局１０５は、ＵＥ１１５との通信のための無線構成およびスケジューリングを実行し得るか、または基地局コントローラ（図示せず）の制御下で動作し得る。いくつかの例では、基地局１０５は、マクロセル、スモールセル、ホットスポットなどであり得る。基地局１０５はｅノードＢ（ｅＮＢ）１０５と呼ばれることもある。
【００９８】
[0106]いくつかのタイプのワイヤレスデバイスは、自動化された通信を提供し得る。自動化されたワイヤレスデバイスは、マシンツーマシン（Ｍ２Ｍ）通信またはＭＴＣを実装するものを含み得る。Ｍ２ＭまたはＭＴＣは、デバイスが人の介入なしに互いにまたは基地局と通信することを可能にするデータ通信技術を指すことがある。たとえば、Ｍ２ＭまたはＭＴＣは、情報を測定またはキャプチャするためにセンサーまたはメーターを組み込み、情報を活用することができる中央サーバまたはアプリケーションプログラムにその情報を中継するか、あるいはプログラムまたはアプリケーションと対話する人間に情報を提示する、デバイスからの通信を指すことがある。いくつかのＵＥ１１５は、情報を収集するか、または機械の自動化された挙動を可能にするように設計されたものなど、ＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に関与していないとき、電力節約「ディープスリープ」モードに入るように構成され得る。
【００９９】
[0107]ＬＴＥシステムは、ＤＬ上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーンまたはビンとも呼ばれる複数(multiple)（Ｋ個）の直交サブキャリアに区分し得る。各サブキャリアはデータで変調され得る。隣接するサブキャリア間の間隔は固定であり得、サブキャリアの総数（Ｋ）はシステム帯域幅に依存し得る。たとえば、Ｋは、それぞれ、１．４、３、５、１０、１５、または２０メガヘルツ（ＭＨｚ）の（ガードバンドをもつ）対応するシステム帯域幅に対して、１５キロヘルツ（ＫＨｚ）のサブキャリア間隔の場合、７２、１８０、３００、６００、９００、または１２００に等しくなり得る。システム帯域幅はまた、サブバンドに区分され得る。たとえば、サブバンドは１．０８ＭＨｚをカバーし得、１つ、２つ、４つ、８つ、または１６個のサブバンドがあり得る。いくつかのＭＴＣ  ＵＥは、全システム帯域幅と比較して狭帯域幅において動作し得る。
【０１００】
[0108]キャリアは、周波数分割複信（ＦＤＤ）動作を使用して（たとえば、対のスペクトルリソースを使用して）または時分割複信（ＴＤＤ）動作を使用して（たとえば、対でないスペクトルリソースを使用して）双方向通信を送信し得る。ＦＤＤのためのフレーム構造（たとえば、フレーム構造タイプ１）およびＴＤＤのためのフレーム構造（たとえば、フレーム構造タイプ２）が定義され得る。ＴＤＤフレーム構造の場合、各サブフレームは、ＵＬトラフィックまたはＤＬトラフィックを搬送し得、スペシャルサブフレームは、ＤＬ送信とＵＬ送信との間で切り替えるために使用され得る。無線フレーム内のＵＬサブフレームおよびＤＬサブフレームの割振りは、対称または非対称であり得、静的に決定され得るか、または半静的に再構成され得る。いくつかのＤＬサブフレームは、ＵＥがそれのトランシーバをその間に再チューンし得る、再チューニングサブフレームとして（たとえば、システムオペレータによって）指定され得る。これらの再チューニングサブフレームは、他のサブフレームとは異なる基準信号のパターンを含んでいることがある。たとえば、再チューニングサブフレームは、サブフレームの初期シンボル期間中にＣＲＳを含んでいないことがあるが、他のサブフレームは、初期シンボル期間中にＣＲＳを有し得る。スペシャルサブフレームは、ＤＬトラフィックまたはＵＬトラフィックを搬送し得、ＤＬトラフィックとＵＬトラフィックとの間のガード期間（ＧＰ）を含み得る。ＵＬトラフィックからＤＬトラフィックへの切替えは、スペシャルサブフレームまたはガード期間を使用せずに、ＵＥ１１５においてタイミングアドバンスを設定することによって達成され得る。フレーム期間（たとえば、１０ｍｓ）またはフレーム期間の１／２（たとえば、５ｍｓ）に等しい切替えポイント周期性（switch-point periodicity）をもつＵＬ−ＤＬ構成もサポートされ得る。たとえば、ＴＤＤフレームは１つまたは複数のスペシャルフレームを含み得、スペシャルフレーム間の期間がフレームのためのＴＤＤ  ＤＬ  ＵＬ間切替えポイント周期性を決定し得る。ＴＤＤの使用は、対ＵＬ−ＤＬスペクトルリソース（paired UL-DL spectrum resource）を必要としないフレキシブル展開を提供する。いくつかのＴＤＤネットワーク展開では、ＵＬ通信とＤＬ通信との間で干渉（たとえば、異なる基地局からのＵＬ通信とＤＬ通信との間の干渉、基地局およびＵＥからのＵＬ通信とＤＬ通信との間の干渉など）が引き起こされ得る。たとえば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信および復号することを試みるＵＥ１１５は、他の、近接して位置するＵＥ１１５からのＵＬ送信からの干渉を受けることがある。いくつかのＭＴＣ  ＵＥは、半二重動作のために構成され得る。
【０１０１】
[0109]データは、論理チャネルと、トランスポートチャネルと、物理レイヤチャネルとに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。ＵＬトランスポートチャネルは、アクセスのためのランダムアクセスチャネル（ＲＡＣＨ）と、データのためのアップリンク共有チャネル（ＵＬ−ＳＣＨ）とを含み得る。ＤＬ物理チャネルは、ブロードキャスト情報のための物理ブロードキャストチャネル（ＰＢＣＨ）と、制御フォーマット情報のためのＰＣＦＩＣＨと、制御およびスケジューリング情報のための物理ダウンリンク制御チャネル（ＰＤＣＣＨ）と、ＨＡＲＱステータスメッセージのための物理ハイブリッド自動再送要求（ＨＡＲＱ）インジケータチャネル（ＰＨＩＣＨ）と、ユーザデータのためのＰＤＳＣＨと、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）と、制御データのための物理アップリンク制御チャネル（ＰＵＣＣＨ）と、ユーザデータのためのＰＵＳＣＨとを含み得る。
【０１０２】
[0110]ＰＤＣＣＨは、９つの論理的に連続するリソース要素グループ（ＲＥＧ）からなり得る、制御チャネル要素（ＣＣＥｓ）中でダウンリンク制御情報（ＤＣＩ）を搬送し、ここで、各ＲＥＧは４つのリソース要素（ＲＥ）を含んでいる。ＤＣＩは、ＤＬスケジューリング割当て、ＵＬリソース許可、送信方式、ＵＬ電力制御、ＨＡＲＱ情報、変調およびコーディング方式（ＭＣＳ）に関する情報、ならびに他の情報を含む。ＤＣＩメッセージのサイズおよびフォーマットは、ＤＣＩによって搬送される情報のタイプおよび量に応じて異なることがある。たとえば、空間多重化がサポートされる場合、ＤＣＩメッセージのサイズは、連続周波数割振り（contiguous frequency allocations）と比較して大きい。同様に、多入力多出力（ＭＩＭＯ）を採用するシステムの場合、ＤＣＩは、追加のシグナリング情報を含み得る。ＤＣＩサイズおよびフォーマットは、情報の量、ならびに帯域幅、アンテナポートの数、および複信モードなどのファクタに依存し得る。いくつかのワイヤレスシステムは、ＭＴＣ  ＵＥのための制御およびスケジューリング情報のためにＭＰＤＣＣＨを使用し得る。いくつかの場合には、ＵＥは、ＭＰＤＣＣＨとＰＤＳＣＨとにわたるチャネル推定バンドリングを可能にするために、これらのチャネルのために同じアンテナポートを使用し得る。いくつかの場合には、レガシーポートまたは新しい共通ポートが使用され得る。
【０１０３】
[0111]基地局１０５は、ＵＥ１１５のチャネル推定およびコヒーレント復調を助けるために、ＣＲＳなど、周期パイロットシンボルを挿入し得る。ＣＲＳは、５０４個の異なるセル識別情報のうちの１つを含み得る。それらは、それらを雑音および干渉に対して耐性があるようにするために、４位相シフトキーイング（ＱＰＳＫ：quadrature phase shift keying）を使用して変調され得、電力ブーストされ得る（たとえば、周囲のデータ要素よりも６ｄＢ高く送信され得る）。ＣＲＳは、受信ＵＥ１１５のアンテナポートまたはレイヤの数（最高４つ）に基づいて各リソースブロック中の４〜１６個のリソース要素中に埋め込まれ得る。基地局１０５のカバレージエリア１１０中のすべてのＵＥ１１５によって利用され得るＣＲＳに加えて、ＤＭＲＳは、特定のＵＥ１１５を対象とし得、それらのＵＥ１１５に割り当てられたリソースブロック上でのみ送信され得る。ＤＭＲＳは、それらが送信される各リソースブロック中の６つのリソース要素上に信号を含み得る。異なるアンテナポートのためのＤＭＲＳは、それぞれ、同じ６つのリソース要素を利用し得、（たとえば、異なるリソース要素中で１または−１の異なる組合せで各信号をマスキングする）異なる直交カバーコードを使用して区別され得る。いくつかの場合には、ＤＭＲＳの２つのセットは、隣接するリソース要素中で送信され得る。いくつかの場合には、再チューニングサブフレームは、サブフレーム中のＵＥの再チューニングを考慮するために、他のサブフレームとは異なる基準信号のパターンを含んでいることがある。チャネル状態情報基準信号（ＣＳＩ−ＲＳ）として知られる追加の基準信号が、チャネル状態情報（ＣＳＩ）を生成するのを助けるために含まれ得る。ＵＬ上で、ＵＥ１１５は、それぞれ、リンク適応および復調のための周期サウンディング基準信号（ＳＲＳ）とＵＬ  ＤＭＲＳの組合せを送信し得る。いくつかの場合には、ＤＭＲＳは、サブフレームの最初に含まれていることがあり、チャネル推定のために基地局によって使用され得る。
【０１０４】
[0112]フレーム構造は、物理リソースを編成するために使用され得る。フレームは、１０ｍｓ間隔であり得、それは、１０個の等しいサイズのサブフレームにさらに分割され得る。各サブフレームは、２つの連続するタイムスロットを含み得る。各スロットは、６つまたは７つのＯＦＤＭＡシンボル期間を含み得る。リソース要素は、１つのシンボル期間と１つのサブキャリア（１５ＫＨｚ周波数範囲）とからなる。リソースブロックは、周波数領域中に１２個の連続するサブキャリアを含んでおり、各ＯＦＤＭシンボル中のノーマルサイクリックプレフィックスについて、時間領域（１つのスロット）中に７つの連続するＯＦＤＭシンボルを含んでおり、すなわち８４個のリソース要素を含んでいることがある。いくつかのリソース要素は、ＤＬ基準信号（ＤＬ−ＲＳ）を含み得る。ＤＬ−ＲＳは、ＣＲＳとＵＥＲＳとを含み得る。ＵＥＲＳは、ＰＤＳＣＨに関連するリソースブロック上で送信され得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、データレートは高くなり得る。いくつかの場合には、指定された再チューニングサブフレーム中に含めると、１つまたは複数のシンボル期間が、再チューニングサブフレームとして指定され得、ＵＥは、サブフレームのシンボル期間中に周波数帯域間で再チューンし得る（すなわち、トランシーバをチューンし得る）。
【０１０５】
[0113]ロングタームエボリューション（ＬＴＥ）における時間間隔は、基本時間単位（たとえば、サンプリング期間、Ｔｓ＝１／３０，７２０，０００秒）の倍数単位で表され得る。時間リソースは、０から１０２３にわたるシステムフレーム番号（ＳＦＮ：system frame number）によって識別され得る１０ｍｓの長さの無線フレーム（Ｔｆ＝３０７２００Ｔｓ）に従って編成され得る。各フレームは、０から９までの番号を付けられた１０個の１ｍｓサブフレームを含み得る。サブフレームは、その各々が（各シンボルにプリペンドされたサイクリックプレフィックスの長さに応じて）６つまたは７つの変調シンボル期間を含んでいる、２つの．５ｍｓスロットにさらに分割され得る。サイクリックプレフィックスを除いて、各シンボルは２０４８個のサンプル期間を含んでいる。いくつかの場合には、サブフレームは、送信時間間隔（ＴＴＩ）としても知られる、最も小さいスケジューリング単位であり得る。他の場合には、ＴＴＩは、サブフレームよりも短いことがあるか、または（たとえば、短いＴＴＩバーストにおいて、または短いＴＴＩを使用する選択されたコンポーネントキャリアにおいて）動的に選択され得る。
【０１０６】
[0114]いくつかの場合には、ワイヤレス通信システム１００は、セルエッジに位置するか、低電力トランシーバを用いて動作するか、および／あるいは高干渉または経路損失を経験するＵＥ１１５のための通信リンク１２５の品質を改善するために、ＣＥ技法を利用し得る。ＣＥ技法は、反復送信、ＴＴＩバンドリング、ＨＡＲＱ再送信、ＰＵＳＣＨホッピング、ビームフォーミング、電力ブースティング、または他の技法を含み得る。使用されるＣＥ技法は、異なる状況におけるＵＥ１１５の固有のニーズに依存し得る。たとえば、ＴＴＩバンドリングは、冗長性バージョンを再送信する前に否定応答（ＮＡＣＫ）を待つのではなく、連続ＴＴＩのグループ中に同じ情報の複数の(multiple)コピーを送ることを伴い得る。これは、ボイスオーバーロングタームエボリューション（ＶｏＬＴＥ）またはボイスオーバーインターネットプロトコル（ＶＯＩＰ）通信に関与するユーザのために有効であり得る。他の場合には、ＨＡＲＱ再送信の数も増加され得る。アップリンクデータ送信が、周波数ダイバーシティを達成するために、周波数ホッピングを使用して送信され得る。ビームフォーミングが、特定の方向において信号の強度を増加させるために使用され得、または送信電力が単に増加され得る。いくつかの場合には、１つまたは複数のＣＥオプションが組み合わせられ得、本技法が信号を改善することが予想されるデシベル数に基づいて、ＣＥレベルが定義され得る（たとえば、ＣＥなし、５ｄＢ  ＣＥ、１０ｄＢ  ＣＥ、１５ｄＢ  ＣＥなど）。いくつかの場合には、周波数再チューニング構成は、ＵＥのためのＣＥ構成に依存し得る。
【０１０７】
[0115]本開示によれば、ＭＴＣ  ＵＥ１１５または基地局１０５、あるいは両方が、周波数ホッピングと拡張ＭＴＣ動作とをサポートするために、短持続時間再チューニングを考慮し得る。基地局は、再チューニング遅延を考慮するために送信することを控え得る。同様に、基地局１０５は、再チューニング遅延を考慮することによってアップリンク通信を受信し得る。
【０１０８】
[0116]図２は、本開示の様々な態様による、ＭＴＣ周波数再チューニングのためのワイヤレス通信システム２００の一例を示す。ワイヤレス通信システム２００は、図１を参照しながら説明されたＵＥ１１５基地局１０５の例であり得る、ＵＥ１１５−ａと基地局１０５−ａとを含み得る。いくつかの場合には、ＵＥ１１５−ａは、ＭＴＣデバイスであり、狭帯域構成を用いて動作し得、周波数ホッピングに適応するためにそれの周波数を再チューンし得る。
【０１０９】
[0117]いくつかのワイヤレスシステムは、デバイスが人の介入なしに互いにまたは基地局と通信することを可能にするデータ通信技術をサポートする。そのような通信はＭＴＣと呼ばれることがある。いくつかの場合には、システムは、ＭＴＣデバイスに合わせて調整された技法または特徴を使用することによって、ＭＴＣをサポートし得る。ＭＴＣを改善するために使用される技法または特徴は、ｅＭＴＣと呼ばれることがある。ｅＭＴＣをサポートするために、システムは、他のＵＥとは異なり得るＭＴＣデバイスの動作特性を考慮するように構成され得る。これは、様々な繰返しレベル、トランスポートブロックサイズなどを使用して、あるＭＴＣ固有システム情報をブロードキャストすることを含み得る。
【０１１０】
[0118]ＵＥ１１５−ａは、ＭＴＣデバイスまたはＭＴＣ  ＵＥであり得、それは、他のＵＥに対して、低複雑度、低コストデバイスであり得、低電力動作、限られた複信能力、および／または不十分な無線リンク状態をもつ環境での動作などの特徴によって特徴づけられ得る。不十分な無線リンク状態を克服するのを助けるために、ワイヤレス通信システム２００は、ＣＥのための技法を実装し得る。ＣＥは、データおよび基準信号の増加された電力、送信繰返し、再送信、または緩やかな性能要件を通して達成され得る。たとえば、通信リンク２２５−ａはＣＥを採用し得る。ワイヤレス通信システム２００は、これらのＭＴＣ  ＵＥ特性を念頭に置いて構成され得る。特に、ワイヤレス通信システム２００は、より大きいシステム帯域幅内の狭帯域動作をサポートすることによって、ｅＭＴＣをサポートし得る。
【０１１１】
[0119]ＵＥ１１５−ａは、広帯域動作モードで、物理ダウンリンク制御チャネル（ＰＤＣＣＨ）または拡張物理ダウンリンク制御チャネル（ＥＰＤＣＣＨ）など、ＤＬ制御チャネルを監視し得る。ＵＥ１１５−ａはまた、より広いシステム帯域幅内で狭帯域動作を使用し得る。たとえば、ＵＥ１１５−ａは、１．４、３、５、１０、１５、または２０ＭＨｚの帯域幅を使用し得る。
【０１１２】
[0120]ワイヤレス通信システム２００では、狭帯域干渉を回避し、通信を改善するために周波数ホッピングが使用され得る。この技法は、信号を送信する間に周波数チャネルを変更し得る。いくつかの場合には、ＵＥ１１５−ａは、広帯域動作能力を有し得、周波数が変更されるので信号を受信し得る。他の場合には、ＵＥ１１５−ａは、広帯域動作のために構成されない。この場合、ＵＥ１１５−ａは、周波数が変化するたびに、再チューンする必要があり得る。この再チューニングは、有限時間期間を要し得、増加されたネットワークオーバーヘッドを生じ得る。
【０１１３】
[0121]上述のように、狭帯域動作のための周波数再チューニング中の遅延期間を低減するために、周波数再チューニングは、他の動作と同時に、または他の動作を考慮する様式で実行され得る。周波数再チューニングは、たとえば、数個のシンボル期間程度の、サブフレームよりも小さい期間中に行われ得る。さらに、周波数再チューニングは、制御情報が送信されるサブフレーム時間期間中に行われ得る。この領域では、ＵＥ１１５−ａはこの情報を無視し得る。したがって、デバイスは、それの送信を受信するために時間内に再チューンし得る。いくつかの場合には、基地局１０５−ａおよびＵＥ１１５−ａは、特定の再チューニング構成のために構成され得る。他の場合には、基地局１０５−ａは、異なる再チューニング構成をもつＵＥ１１５−ａに適応し得、それの通信に基づいてそれの構成を推論し得る。ワイヤレスシステム（たとえば、ワイヤレス通信システム１００）内で接続された複数の(multiple)ＵＥが、異なる構成を有し得る。いくつかの場合には、基地局１０５−ａは、ＵＥ１１５−ａのＣＥに基づいて、様々な構成の間で切り替わり得る。
【０１１４】
[0122]概して、再チューニング構成は、ＵＬおよびＤＬについて異なり得る。たとえば、ＵＬは、再チューンするために１つのサブフレームを使用し得、ＤＬは、数個のシンボル期間と等価な時間期間を使用し得る。ＵＬの場合、レガシー制御がないことがあり、したがって、再チューニング時間は、スペクトル効率の減少を暗示し得る。いくつかの場合には、ＵＬのための再チューン構成はＣＥに依存し得る。
【０１１５】
[0123]いくつかの例では、ＵＥ１１５−ａは、それのＵＬ再チューン時間期間に基づいてレートマッチングし得る。別の場合には、ＵＥ１１５−ａは、いくつかのシンボルをパンクチャし得る。基地局１０５−ａは、ＵＥ１１５−ａの再チューニング能力を知らないことがある。この場合、基地局１０５−ａは、ＵＥ１１５−ａがいつ送信し始めるかを検出し得る。いくつかの場合には、たとえばサブフレーム内の他のシンボル中でＤＭＲＳを送るのではなく、再チューニングの後の第１のＰＵＳＣＨの第１のシンボル中でＤＭＲＳが送られ得る。いくつかの場合には、ＤＭＲＳは、基地局１０５−ａが検出することがより容易であり得る。したがって、基地局１０５−ａがＤＭＲＳを検出した場合、基地局１０５−ａはチャネル推定のためにそれを使用し得る。別の場合には、ＵＥ１１５−ａは、それの再チューン構成を基地局１０５−ａに送り得、基地局１０５−ａは、受信された構成に基づいてＵＬをレートマッチングし得る。
【０１１６】
[0124]いくつかの場合には、ＵＥ１１５−ａは、ＭＰＤＣＣＨとＰＤＳＣＨとのために同じアンテナポートを使用し得る。これは、ＭＰＤＣＣＨチャネルとＰＤＳＣＨチャネルとにわたるチャネル推定バンドリング（channel estimation bundling）を可能にし得る。この場合、データまたはＤＭＲＳは、ＭＰＤＣＣＨと、関連するＰＤＳＣＨとにわたって同じプリコーダを使用し得る。いくつかの場合には、ＵＥ１１５−ａは、レガシーポートを使用し得るか、または共通ポート、たとえば、ポート２０７／２０９を使用し得る。さらに、プリコーディング行列は、ＭＰＤＣＣＨとＰＤＳＣＨの両方の復調のためにＣＲＳとＤＭＲＳとが使用され得るように、規格化され得る。
【０１１７】
[0125]ワイヤレスシステム２００では、ＣＦＩがＵＥ１１５−ａに示され得る。ＣＦＩは制御シンボルの数を含んでいることがある。いくつかの場合には、ＰＣＦＩＣＨは復号されないことがあり、ＣＦＩは、多数のサブフレームにわたって固定され得る。しかしながら、基地局１０５−ａが前のＣＦＩ構成をオーバーライドすることが有利であり得る。たとえば、基地局１０５−ａは、所与のサブフレーム中の制御情報の大きい負荷を扱い得るが、この決定をＵＥ１１５−ａに通信しないことがある。この場合、基地局１０５−ａは、ＰＣＦＩＣＨを変更し、より多くの制御シンボルを送信し得る。基地局１０５−ａはパンクチャリングを実行し得る。たとえば、ＭＴＣ  ＰＤＳＣＨは、レガシーＰＤＣＣＨによってパンクチャされ得る。そのような場合、ＵＥ１１５−ａはＣＦＩの変化に気づいていないことがあり、ＵＥ１１５−ａは、シグナリングされたＣＦＩを仮定して、ＰＤＳＣＨを復号し得る。いくつかの場合には、ＵＥ１１５−ａは、新しいＰＤＣＣＨ領域にレートマッチングし得る。たとえば、ＵＥ１１５−ａは、ＰＣＦＩＣＨを復号し得、その場合、変化に気づいていることがある。
【０１１８】
[0126]いくつかの場合には、ダウンリンク通信のための周波数再チューニングは、基準信号を含んでいるシンボル期間中に行われ得、それは、ＵＥ１１５−ａが、再チューニング時間中に送信された基地局１０５−ａからの基準信号を受信しないことを生じ得る。これらの問題を回避するために、いくつかのＤＬサブフレームは、再チューニングサブフレームとして指定され得、それがある周波数帯域から別の周波数帯域にUEが再チューンするための時間に適応するか、または指定されたシンボル期間を含み得る。
【０１１９】
[0127]図３Ａ〜図３Ｃは、本開示の様々な態様による、ＭＴＣ周波数再チューニングのための周波数ホッピング構成３００−ａ、３００−ｂ、および３００−ｃの例を示す。周波数ホッピング構成３００−ａ、３００−ｂ、３００−ｃは、ＵＬおよびＤＬ送信の周波数ホッピングを可能にするためのＭＴＣ周波数再チューニングのための技法を示し得る。
【０１２０】
[0128]図３Ａ中の周波数ホッピング構成３００−ａは、周波数ホッピングを用いたダウンリンク状況を表し得る。プロット３０１は、基地局１０５からの送信を表し得る。プロット３０２は、ＵＥ１１５が送信を受信することを表し得る。時間期間３０５−ａおよび３０５−ｂは、ＭＰＤＣＣＨを含んでいるＴＴＩを表し得る。時間期間３１０−ａ〜３１０−ｆは、ＰＤＳＣＨを含んでいるＴＴＩを表し得る。ＴＴＩは、ＴＴＩの最初において送られ得る制御情報のＮ個のシンボルを含んでいることがある。最初に、送信はＦ１の周波数を有し、ここで、時間期間３０５−ａ、ｂおよび３１０−ａ、ｂは周波数Ｆ１における送信である。時間期間３１０−ａの後に、基地局は、送信周波数をＦ２に変更し得る。時間期間３１０−ｂの後に、ＵＥは、それの周波数をＦ２に再チューンし得る。この周波数再チューニングは、ＵＥのための有限時間期間を要し得、したがって、ＵＥは、時間３１５において周波数Ｆ２を監視し始め得る。時間３１５は、概して、時間期間３１０−ｃ、ｄの開始と一致しないことがある。いくつかの場合には、時間３１５は、制御シンボルを含んでいる、ＴＴＩの領域中に生じ得る。他の場合には、時間３１５は、ＰＤＳＣＨ制御シンボルが送信された後に生じ得る。
【０１２１】
[0129]一例では、基地局１０５は、それがサービスするすべてのＵＥ１１５のうちの最悪の再チューニング能力に基づいて、それの動作を構成し得る。たとえば、フレーム中の制御シンボルの数、Ｎが、ＵＥ１１５によって知られ得る。ＵＥ１１５は、Ｍ個のシンボルの再チューニング能力を有し得、すなわち、ＵＥ１１５は、Ｍ個のシンボルの長さと等価な時間期間内に再チューンすることができる。しかしながら、ワイヤレスネットワーク中の他のＵＥ１１５は、Ｋ個のシンボルの再チューニング能力を有し得、ここで、Ｋ＞Ｍである。この場合、基地局１０５は、ＵＥによる周波数再チューニングによりＫ個のシンボルが失われることを仮定し得る。これは、再チューニングの後の第１のサブフレーム中のＫ個の制御シンボルについてレートマッチングを実行すること、およびそれからＮ個の制御シンボルがそのポイントからくることと等価であり得る。
【０１２２】
[0130]いくつかの例では、基地局１０５は、ＵＥ１１５の再チューニング遅延に適応するためにレートマッチングを実行しないことがある。この場合、ＵＥのための再チューニング時間期間が制御シンボル時間期間よりも小さく、すなわち、Ｍ≦Ｎである場合、ＵＥは、十分に速く再チューンし、すべてのデータシンボルを受信し得る。この場合、図３Ａ中の時間３１５は、ＰＤＳＣＨ時間期間３１０−ｄの影付き制御情報領域中に開始することになる。Ｍ＞Ｎである場合、ＵＥは、すべてのデータシンボルを受信するのに十分に速く再チューンしないことがあり、すなわち、時間期間３１５は、ＰＤＳＣＨ時間期間３１０−ｄの影付き制御情報領域の後に開始し得る。この場合、ＵＥは、受信されたシンボルがパンクチャされたかのように、それらを復号し得る。
【０１２３】
[0131]他の例では、基地局は、ＵＥ再チューニング速度を知り得る。たとえば、ＵＥは、それの構成を基地局にシグナリングし得る。基地局は、次いで、ＵＥ再チューニング速度にレートマッチングし得る。たとえば、ＵＥがＭ個のシンボルの時間期間中に再チューンする場合、基地局はＭ個のシンボルについてレートマッチングし得る。
【０１２４】
[0132]いくつかの場合には、基地局は、ＵＥのＣＥに基づいて、様々な構成の間で切り替わり得る。たとえば、バンドルサイズが大きい場合（たとえば、各ホップにおいて８つのサブフレーム）、パンクチャリングによる損失は小さくなり得、ＵＥによるパンクチャリングが、大きいコストにならないことがある。バンドルサイズが小さい場合（たとえば、小さいＣＥをもつＵＥの場合）、パンクチャリングはコーディング損失を生じ得る。これらの場合、基地局は、ＵＥによるパンクチャリングを緩和し得る再チューニング構成を使用することを決定し得る。
【０１２５】
[0133]いくつかの場合には、ＣＦＩがＵＥに示され得る。ＣＦＩは制御シンボルの数を含んでいることがある。いくつかの場合には、ＰＣＦＩＣＨは復号されないことがあり、ＣＦＩは、多数のサブフレームにわたって固定され得る。基地局が前のＣＦＩ構成をオーバーライドすることが有利であり得る。たとえば、基地局は、所与のサブフレーム中の制御情報の大きい負荷を扱い得るが、この決定をＵＥに通信しないことがある。この場合、基地局は、ＰＣＦＩＣＨを変更し、より多くの制御シンボルを送信し得る。基地局はパンクチャリングを実行し得る。たとえば、ＭＴＣ  ＰＤＳＣＨは、レガシーＰＤＣＣＨによってパンクチャされ得る。そのような場合、ＭＴＣ  ＵＥはＣＦＩの変化に気づいていないことがあり、ＵＥは、シグナリングされたＣＦＩを仮定して、ＰＤＳＣＨを復号し得る。他のＵＥは、新しいＰＤＣＣＨ領域にレートマッチングし得る。たとえば、それらは、ＰＣＦＩＣＨを復号し得、その場合、変化に気づいていることがある。
【０１２６】
[0134]図３Ｂ中の周波数ホッピング構成３００−ｂは、周波数ホッピングを用いたアップリンク状況を表し得る。プロット３１８は、周波数ホッピングを使用したＵＥ１１５から基地局１０５へのアップリンクを表し得る。時間期間３２０−ａ〜３２０−ｃはＰＵＳＣＨ  ＴＴＩを表し得る。時間期間３２０−ａにおいて、ＵＥは、ある周波数において送信し得、時間期間３２０−ｂにおいて送信する前に周波数を変更し得る。時間期間３２５は、ＵＥが、送信周波数を変更するときに再チューンするために要する時間を表し得る。ＵＬの場合、レガシー制御がなく、したがって、再チューニング時間は、スペクトル効率の減少を暗示し得る。概して、このＵＬ再チューニング時間期間は、ＤＬ再チューニング時間期間とは異なり得る。たとえば、ＵＬは、再チューンするために１つのサブフレームを使用し得、ＤＬは、数個のシンボル期間と等価な時間期間を使用し得る。概して、ＵＬのための再チューン構成はＣＥに依存し得る。
【０１２７】
[0135]一例では、ＵＥは、それのＵＬ再チューン時間期間に基づいてレートマッチングし得る。たとえば、ＵＥがＬ個のシンボルの時間期間中に再チューンする場合、すなわちこの場合、図３Ｂ中の時間期間３２５はＬ個のシンボルの長さに等しいであろう。この場合、ＵＥは、Ｌ個のシンボルにレートマッチングし得る。
【０１２８】
[0136]第２の例では、ＵＥは、いくつかのシンボルをパンクチャし得る。たとえば、ＵＥは、Ｌ個のシンボルの時間期間中に再チューンし得るが、ＵＥは、Ｐ個のシンボルをパンクチャし得る。いくつかの場合には、基地局は、ＵＥの再チューニング能力を知らないことがある。そうである場合、基地局は、ＵＥがいつ送信し始めるかを検出し得る。いくつかの場合には、たとえば、サブフレーム内の他のシンボル中に含まれるのではなく、周波数変更の後の第１のＰＵＳＣＨの第１のＬ個のシンボル（時間期間３２０−ｂ）が、ＤＭＲＳのために使用され得る。ＤＭＲＳは、基地局が検出することがより容易であり得る。したがって、基地局がＤＭＲＳを検出した場合、基地局はチャネル推定のためにそれを使用し得る。
【０１２９】
[0137]第３の例では、ＵＥは、それの再チューニング構成を基地局にシグナリングし得、基地局は、受信された構成に基づいてＵＬをレートマッチングし得る。すなわち、基地局は、時間期間３２５の再チューニング時間を考慮に入れ得る。
【０１３０】
[0138]図３Ｃは、チャネル推定バンドリングのための構成３００−ｃを表す。時間期間３３０−ａ、ｂはＭＰＤＣＣＨ  ＴＴＩを表し得る。時間期間３３５−ａ、ｂはＰＤＳＣＨ  ＴＴＩを表し得る。ＭＰＤＣＣＨは、時間および周波数のユニットをもつシンボルからなり得る。シンボル３４０−ａはＭＰＤＣＣＨ内のＣＲＳトーンを表し得る。シンボル３４０−ｃはＭＰＤＣＣＨトーンを表し得る。シンボル３４０−ｂは、ＭＰＤＣＣＨ内のＵＥＲＳトーンを表し得、ポート２０７および２０８を使用し得る。シンボル３４０−ｄは、ポート２０９および２１０を使用する、ＭＰＤＣＣＨ内のＵＥＲＳトーンを表し得る。シンボル３４５−ａはＰＤＳＣＨ内のＣＲＳトーンを表し得る。シンボル３４５−ｃはＰＤＳＣＨトーンを表し得る。シンボル３４５−ｂは、ＰＤＳＣＨ内のＵＥＲＳトーンを表し得、ポート２０７および２０８を使用し得る。シンボル３４５−ｄは、ポート２０９および２１０を使用する、ＰＤＳＣＨ内のＵＥＲＳトーンを表し得る。
【０１３１】
[0139]いくつかの場合には、ＵＥは、ＭＰＤＣＣＨとＰＤＳＣＨとのために同じアンテナポートを使用し得る。これは、ＭＰＤＣＣＨチャネルとＰＤＳＣＨチャネルとにわたるチャネル推定バンドリングを可能にし得る。この場合、データまたはＤＭＲＳは、ＭＰＤＣＣＨと、関連するＰＤＳＣＨとにわたって同じプリコーダを使用し得る。いくつかの場合には、ＵＥは、レガシーポートを使用し得るか、または共通ポート、たとえば、ポート２０７および２０９を使用し得る。さらに、プリコーディング行列は、ＭＰＤＣＣＨとＰＤＳＣＨの両方の復調のためにＣＲＳとＤＭＲＳとが使用され得るように、規格化され得る。
【０１３２】
[0140]いくつかの例では、レガシーＰＵＣＣＨ構造（たとえば、ＬＴＥ  Ｒｅｌ．８  ＰＵＣＣＨ構造）が、サウンディング基準信号（ＳＲＳ）の存在により短縮構成を有し得る。ＭＴＣ動作は、これらの場合、ＭＴＣデバイスの再チューニングによる紛失シンボルがレガシーユーザのＰＵＣＣＨとの直交性に影響を及ぼし得るので、エラーを引き起こし得る。たとえば、周波数ホッピングのための再チューニングに関連する遅延は、それぞれのＵＥからの送信の直交性に影響を及ぼし得る。これに適応するために、再チューニング時間（たとえば、シンボル）がＳＲＳリソースと整合し、残りのＰＵＣＣＨシンボルが直交性プロパティを維持するように、ＭＴＣ  ＵＥアップリンク動作はシフトされ得る。
【０１３３】
[0141]図３Ｄは、本開示の様々な態様による、ＭＴＣのための再チューニングをサポートする再チューニングサブフレーム構成３００−ｄを示す。サブフレーム構成３００−ｄはＬＴＥ／ＬＴＥ−Ａヌメロロジー（numerology）を使用し得、図３Ｄの例では、構成３００−ｄは１４個のシンボル期間３４９を含む。シンボル期間３５０（すなわち、サブフレーム構成３００−ｄの初期シンボル期間）は、周波数再チューニングのために使用されるシンボル時間期間を表し得る。再チューニングサブフレーム構成３００−ｄはまた、ＣＲＳ３５５と、ＭＰＤＣＣＨまたはＭＰＤＳＣＨトーン３５６と、ＵＥＲＳ３５７（ＵＥＲＳ３５７はＤＭＲＳと呼ばれることもある）とを含み得る。あるＵＥＲＳ３５７は、たとえば、アンテナポート２０７および２０８上で送信され、他のＵＥＲＳ３５７は、アンテナポート２０９および２１０上で送信され得る。
【０１３４】
[0142] 本明細書で説明されるように、ＵＥは、ある周波数帯域から別の周波数帯域に再チューンし得、再チューニングは、約シンボル期間の持続時間を有し得る。したがって、ＵＥ１１５は、再チューニングが行われるシンボル期間中に送信された信号を受信しないことがある。いくつかの場合には、ＣＲＳ３５５は、シンボル期間０、４、７、および１１中で送信され得る。図３Ｄの例では、ＣＲＳ３５５は、シンボル期間３５０、すなわち指定された再チューニング時間、中に送信されないことがあり、ＣＲＳ３５５またはＤＭＲＳ、あるいは両方が、他のシンボル期間中に送信され得る。図３Ｄの例では、ＵＥは、利用可能なＣＲＳ３５５またはＵＥＲＳ３５７に基づいて、復調、チャネル推定、周波数追跡を実行し得る。ＵＥは、たとえば、チャネル推定、周波数追跡、または時間追跡のために、シンボル期間４、７、および１１中で受信されたＣＲＳを使用し得る。ＵＥは、いくつかの場合には、チャネル推定のために、シンボル期間５および６中で受信されたＵＥＲＳ３５７を使用し得る。様々な例では、復調はＣＲＳ３５５またはＵＥＲＳ３５７に基づき得る。ＣＲＳ復調が採用されるのかＵＥＲＳ復調が採用されるのかは、特定のサブフレームが再チューニングサブフレームであるか否かの関数であり得る。例として、ＵＥＲＳ３５７は再チューニングサブフレームに限定され得、したがって、再チューニングサブフレームにおける復調は、ＵＥＲＳ３５７に依存し得る。
【０１３５】
[0143]ＵＥは、周波数帯域間（たとえば、構成３００−ｄを有する）でのチューニングのために特定のＴＴＩまたはＴＴＩのグループが指定されたことを示すシグナリングを受信し得る。いくつかの場合には、指定された再チューニングＴＴＩは、システム情報中でシグナリングされ得る。
【０１３６】
[0144]本明細書で説明されるように、いくつかの周波数ホッピング動作中に、たとえば、ＭＴＣデバイスの再チューニング時間を考慮するために、シンボルが送信または受信されないことがある。しかし、いくつかの場合には、再チューニングは、システム内で採用されたタイミング境界と整合し得るか、または整合するように構成され得る。
【０１３７】
[0145]たとえば、再チューニングは、場合によっては送信のために指定されないＴＴＩ（たとえば、サブフレーム）中に再チューニングが行われ得るように、ＴＴＩバンドリング動作と関連し得る。このタイプのＴＴＩは、無効なサブフレームと呼ばれることがある。いくつかの場合には、ＴＤＤ構成を含むと、周波数ホッピングは、特定の方向における送信のために指定された時間および／または周波数領域において行われ得る。たとえば、周波数ホッピングは、アップリンクまたはダウンリンク送信のために指定された周波数領域間にあり得、アップリンク領域間での周波数ホッピングは、たとえば、ダウンリンク指定されたサブフレーム中に行われ得る。いくつかの場合には、再チューニングが予想された場合に、ＵＥは、測定ギャップが予想されるので再チューンしないことがある。
【０１３８】
[0146]したがっていくつかの例では、送信機および受信機（たとえば、基地局およびＵＥ）が、レートマッチングまたはパンクチャリングが不要であるように再チューンし得る。そのような場合、領域間でのホッピングの間、送信または受信がその中で行われないことがあるサブフレームを考慮して、ソースおよびデスティネーション狭帯域周波数領域を適応させるために、レートマッチングまたはパンクチャリング、あるいは両方が行われ得る。領域間の時間期間（たとえば、サブフレームなど、ＴＴＩ）が、送信のために必ずしもスケジュールされるとは限らない場合、ＵＥは、異なる領域中でメッセージを受信するためにレートマッチングしないことがある。そのような場合、ＵＥは、他の例に関して本明細書で説明されるように、レートマッチングおよびパンクチャリングを回避することが可能であり得る。
【０１３９】
[0147]たとえば、本明細書で説明されるように、再チューニングは、ソース周波数領域の第１のサブフレームの最後のシンボルと、デスティネーション周波数領域の第２のサブフレームの第１のシンボルとをドロップすることによって実行され得、または、それは、再チューニングの前のサブフレームの最後の２つのシンボルをドロップすることを含み得る。再チューニングのためのタイミングは、しかしながら、シンボルがドロップされる必要がないようなタイミングであり得る。
【０１４０】
[0148]図３Ｅは、本開示の様々な態様による、ＭＴＣ周波数再チューニングのための周波数ホッピング構成３００−ｅの例を示す。周波数ホッピング構成３００−ｅは、ＵＬおよびＤＬ送信の周波数ホッピングを可能にするためのＭＴＣ周波数再チューニングのための技法を示し得る。
【０１４１】
[0149]プロット３６１に示される例では、ＵＥおよび基地局は、レートマッチングまたはパンクチャリングを回避するために送信が予期されないか、さもなければスケジュールされないことがあるＴＴＩを考慮し得る。たとえば、時間期間３７５−ａ内のＴＴＩ中に、第１のメッセージが第１の周波数帯域中で送信または受信され得る。送信機と受信機とが両方とも、時間期間３８０−ａ中に別のＴＴＩ中でメッセージを送信または受信するために、別の周波数帯域に再チューンし得る。再チューニングは、ＴＴＩであり得る（たとえば、無効なサブフレーム）、時間期間３７６−ｂ中に行われ得る。
【０１４２】
[0150]プロット３６２に示される例では、ＵＥおよび基地局は、レートマッチングまたはパンクチャリングを回避するために送信が予期されないか、さもなければスケジュールされないことがあるＴＴＩを考慮し得る。たとえば、時間期間３７５−ｂ内のＴＴＩ中に、第１のメッセージが第１の周波数帯域中で送信または受信され得る。送信機と受信機とが両方とも、時間期間３８０−ｂ中に別のＴＴＩ中でメッセージを送信または受信するために、別の周波数帯域に再チューンし得る。再チューニングは、１つまたは複数のＴＴＩであり得る、時間期間３７６−ｂ中に行われ得る。たとえば、時間期間３７６−ｂは、測定ギャップであり得るか、または無効なサブフレームを含み得る。いくつかの場合には、時間期間３７５−ｂおよび３８０−ｂは、ある方向における送信のために構成されたＴＴＩを含み、時間期間３７６−ｂは、別の異なる方向における送信のために構成された１つまたは複数のＴＴＩを含む。たとえば、時間期間３７５−ｂおよび３８０−ｂはアップリンクＴＴＩを含み得、時間期間３７６−ｂは１つまたは複数のダウンリンクＴＴＩを含み得、または逆も同様である。
【０１４３】
[0151]いくつかの場合には、基地局は、再チューニングがサブフレーム中で行われる（たとえば、再チューニングが、無効なサブフレームまたは他の指定された再チューニングサブフレームと整合する）ように、有効なサブフレーム構成を選定し得る。このタイプの動作は、リソースを失うことを回避し得、（たとえば、ＨＡＲＱフィードバックなど、ＰＵＣＣＨ送信のために）ＵＥ間の直交性を維持し得る。
【０１４４】
[0152]図４Ａおよび図４Ｂは、本開示の様々な態様による、ＭＴＣ周波数再チューニングのためのプロセスフロー４００−ａおよびプロセスフロー４００−ｂの例を示す。プロセスフロー４００−ａ、ｂは、図１〜図２を参照しながら説明されたＵＥ１１５および基地局１０５の例であり得る、ＵＥ１１５−ｂ、ｃおよび基地局１０５−ｂ、ｃを含み得る。いくつかの場合には、ＵＥ１１５−ｂ、ｃはＭＴＣデバイスであり得る。
プロセスフロー４００−ａは、周波数ホッピングのためのダウンリンクＭＴＣ再チューニングの態様を表し得る。基地局１０５−ｂは、それの送信の周波数を変更し得、ＵＥ１１５−ｂは、それの周波数を再チューンし得る。この再チューニングは有限時間期間を要し得る。
【０１４５】
[0153]４０５において、基地局１０５−ｂは、再チューニング能力を示すシグナリングをＵＥから受信し得る。いくつかの場合には、基地局１０５−ｂは、制御チャネルフォーマットを示すシグナリングをＵＥ１１５−ｂに送信し得る。
【０１４６】
[0154]４１０において、基地局１０５−ｂは、システム帯域幅の第１の周波数帯域中で、第１のＴＴＩ中に第１のダウンリンクメッセージをＵＥ１１５−ｂに送信し得る。いくつかの場合には、基地局１０５−ｂは、第１のＴＴＩ中にダウンリンク制御チャネルを送信し得、ダウンリンク制御チャネルは、ＤＭＲＳパターンを含み得、プリコーダを使用して送信され得る。
【０１４７】
[0155]４１２において、送信周波数は変化し得、そのポイントにおいて、４１５において基地局１０５−ｂはそれの送信を構成し得、４２０においてＵＥ１１５−ｂは再チューンし得る。
【０１４８】
[0156]４１５において、基地局１０５−ｂは、ＵＥの間の特定された再チューニング時間に基づいて、第２のＴＴＩの第１の部分の持続時間を決定し得る。他の場合には、基地局１０５−ｂは、第２のＴＴＩの第１の部分の持続時間が第２のＴＴＩの制御領域を含むと決定し得る。いくつかの場合には、基地局１０５−ｂは、第２のＴＴＩの第１の部分の持続時間が第２のＴＴＩの制御領域を含むと決定し得る。いくつかの例では、基地局１０５−ｂは、第２のＴＴＩの第１の部分の持続時間が第２のＴＴＩの制御領域を含むと決定し得る。基地局１０５−ｂはまた、再チューニング能力に基づいて第２のＴＴＩの第１の部分の持続時間を決定し得る。いくつかの場合には、基地局１０５−ｂは、ＵＥ１１５−ｂのためのＣＥ要件を識別し得、基地局１０５−ｂは、ＣＥ要件に基づいて第２のＴＴＩの第１の部分の持続時間を決定し得る。いくつかの場合には、基地局１０５−ｂは、制御信号が制御チャネルフォーマットを超えると決定し得る。いくつかの場合には、基地局１０５−ｂは、システム帯域幅の第１の周波数帯域からシステム帯域幅の第２の周波数帯域にチューンするためにＴＴＩが指定されたと決定し得、ＴＴＩの初期シンボル期間以外のＴＴＩのシンボル中で基準信号が送信され得る。
【０１４９】
[0157]４２０において、ＵＥ１１５−ｂは、第２のＴＴＩの第１の部分中に、受信機をシステム帯域幅の第２の周波数帯域に再チューンし得る。いくつかの場合には、ＵＥ１１５−ｂは、システム帯域幅の第１の周波数帯域からシステム帯域幅の第２の周波数帯域にチューンするためにＴＴＩが指定されたと決定し得、ＴＴＩの初期シンボル期間中に第１の周波数帯域から第２の周波数帯域にチューンし得る。
【０１５０】
[0158]４２５において、基地局１０５−ｂは、第２の周波数帯域中で、第２のＴＴＩの第２の部分中に第２のダウンリンクメッセージをＵＥ１１５−ｂに送信し得る。いくつかの例では、第２のＴＴＩの第１の部分は、第２のＴＴＩのデータ領域の一部と制御領域とを備える。いくつかの場合には、基地局１０５−ｂは、ＵＥによる再チューニングを考慮するために、第２のＴＴＩの第１の部分中にＵＥに送信することを控え得る。他の場合には、基地局１０５−ｂは、第２のＴＴＩの第１の部分の周りでレートマッチングすることを含む、第２のダウンリンクメッセージを送信し得る。いくつかの場合には、基地局１０５−ｂは、プリコーダを使用してダウンリンクデータチャネルが送信され得るように、第２のＴＴＩ中にダウンリンクデータチャネルを送信し得る。他の場合には、基地局１０５−ｂは、データ信号が制御信号の部分によってパンクチャされ得るように、データ信号をＵＥ１１５−ｂに送信し得る。いくつかの例では、データ信号を送信することは、電力ブーストされたデータ信号を送信することを含み得る。
【０１５１】
[0159]４３０において、ＵＥ１１５−ｂは第２のダウンリンクメッセージを復号し得る。いくつかの場合には、ＵＥ１１５−ｂは、他のデータを含むシンボルによって第２のダウンリンクメッセージがパンクチャされ得るという仮定に基づいて、復号し得る。
【０１５２】
[0160]４０５において、ＵＥ１１５−ｂは、再チューニング能力を示すシグナリングを送信し得る。
【０１５３】
[0161]４１０において、ＵＥ１１５−ｂは、システム帯域幅の第１の周波数帯域中で、第１のＴＴＩ中に第１のダウンリンクメッセージを受信し得る。ＵＥ１１５−ｂは、第１のＴＴＩ中にダウンリンク制御チャネルを受信し得、ダウンリンク制御チャネルはＤＭＲＳパターンを含む。
【０１５４】
[0162]４２５において、ＵＥ１１５−ｂは、第２の周波数帯域中で、第２のＴＴＩの第２の部分中に第２のダウンリンクメッセージを受信し得る。いくつかの例では、第２のＴＴＩの第１の部分は、第２のＴＴＩのデータ領域の一部と制御領域とを備える。いくつかの場合には、ＵＥ１１５−ｂは、第２のＴＴＩの第１の部分が第２のダウンリンクメッセージの一部を含むと決定し得る。いくつかの例では、第２のダウンリンクメッセージは、第１のダウンリンクメッセージの周りでレートマッチングされる。いくつかの場合には、ＵＥ１１５−ｂは、第２のＴＴＩ中にダウンリンクデータチャネルを受信し得る。
【０１５５】
[0163]４３０において、ＵＥ１１５−ｂは、少なくとも、ダウンリンク制御チャネルのＤＭＲＳパターンを使用して、ダウンリンクデータチャネルのデータを復調し得る。いくつかの場合には、ＵＥ１１５−ｂは、データが、少なくとも、ダウンリンク制御チャネルのＣＲＳパターンとダウンリンクデータチャネルのＣＲＳパターンとを使用して復調され得るように、ダウンリンクチャネルのためのプリコーディング行列を決定し得る。
【０１５６】
[0164]プロセスフロー４００−ｂは、周波数ホッピングのためのアップリンクＭＴＣの再チューニングの態様を表し得る。基地局１０５−ｃは、それの送信の周波数を変更し得、ＵＥ１１５−ｃは、それの周波数を再チューンし得る。この再チューニングは有限時間期間を要し得る。
【０１５７】
[0165]４３５において、ＵＥ１１５−ｃは、第２のＴＴＩの第１の部分の持続時間が再チューニング能力に基づくように、再チューニング能力を示すシグナリングを送信し得る。
【０１５８】
[0166]４４０において、ＵＥ１１５−ｃは、システム帯域幅の第１の周波数帯域中で、ＴＴＩ中に第１のアップリンクメッセージを送信し得る。
【０１５９】
[0167]４４５において、ＵＥ１１５−ｃは、第２のＴＴＩの第１の部分中に、送信機をシステム帯域幅の第２の周波数帯域に再チューンし得る。
【０１６０】
[0168]４５０において、ＵＥ１１５−ｃは、第２の周波数帯域中で、第２のＴＴＩの第２の部分中に第２のアップリンクメッセージを送信し得る。いくつかの例では、第２のＴＴＩの第１の部分の持続時間は、システム帯域幅を用いて動作するＵＥの間の最長再チューニング時間またはＵＥの間の特定された再チューニング時間、あるいはＵＥの間の特定された再チューニング時間、に少なくとも部分的に基づく。いくつかの場合には、ＵＥ１１５−ｃが第２のアップリンクメッセージを送信することは、第２のＴＴＩの第１の部分の周りでレートマッチングすることを含み得る。いくつかの例では、第２のＴＴＩの第１の部分の持続時間は、送信機の再チューニング能力に少なくとも部分的に基づく。いくつかの例では、第２のＴＴＩの第２の部分は、第２のＴＴＩの第１の部分によってパンクチャされる。いくつかの場合には、ＵＥ１１５−ｃは、第２のＴＴＩの第３の部分中にＤＭＲＳを送信し得、ここで、第３の部分は、第１の部分に後続し、第２のＴＴＩの第２の部分に先行する。いくつかの場合には、ＵＥ１１５−ｃはＣＥ要件を識別し得、ＵＥ１１５−ｃは、ＣＥ要件に基づいて第２のＴＴＩの第１の部分の持続時間を決定し得る。
【０１６１】
[0169]４３５において、基地局１０５−ｃはＵＥからシグナリングを受信し得、シグナリングは、ＵＥが再チューンするための持続時間を示し得る。
【０１６２】
[0170]４４０において、基地局１０５−ｃは、システム帯域幅の第１の周波数帯域中で、第１のＴＴＩ中にＵＥ−１１５ｃから第１のアップリンクメッセージを受信し得る。
【０１６３】
[0171]４５０において、基地局１０５−ｃは、システム帯域幅の第２の周波数帯域中で、第２のＴＴＩ中にＵＥ１１５−ｃから第２のアップリンクメッセージを受信し得る。いくつかの場合には、基地局１０５−ｃは、第２のＴＴＩの第１の部分中に第２のアップリンクメッセージを監視し得る。いくつかの例では、基地局１０５−ｃは、第２のＴＴＩの第１の部分中にＤＭＲＳを監視し得る。いくつかの例では、第２のアップリンクメッセージは、第２のＴＴＩの第１の部分の周りでレートマッチングされる。
【０１６４】
[0172]４５５において、基地局１０５−ｃは、ＵＥ１１５−ｃが第１の周波数帯域から第２の周波数帯域に再チューンするための持続時間を決定し得る。いくつかの例では、ＵＥ１１５−ｃが再チューンするための持続時間を決定することは、システム帯域幅内で動作するＵＥの間の最長再チューニング時間に少なくとも部分的に基づいて持続時間を決定することを含む。ＵＥ１１５−ｃが再チューンするための持続時間を決定することが、第２のアップリンクメッセージの一部を検出することに基づき得るように、基地局１０５−ｃは、第２のＴＴＩの第１の部分内の第２のアップリンクメッセージの一部を検出し得る。いくつかの場合には、ＵＥ１１５−ｃが再チューンするための持続時間を決定することが、ＤＭＲＳを受信することに基づき得るように、および第２のアップリンクメッセージが、第２のＴＴＩの第２の部分中に受信され得るように、基地局１０５−ｃは、第２のＴＴＩの第１の部分中でＤＲＭＳを受信することに基づいて第２のアップリンクメッセージを検出し得る。いくつかの場合には、持続時間は、４３５におけるシグナリングに基づいて決定され得る。いくつかの場合には、ＵＥが再チューンするための持続時間が、ＣＥ要件に基づいて決定され得るように、基地局１０５−ｃは、ＵＥ１１５−ｃのためのＣＥ要件を識別し得る。
【０１６５】
[0173]４６０において、基地局１０５−ｃは、決定された持続時間に基づいて第２のアップリンクメッセージを復号し得る。
【０１６６】
[0174]図５は、本開示の様々な態様による、ｅＭＴＣのための再チューニングをサポートするワイヤレスデバイス５００のブロック図を示す。ワイヤレスデバイス５００は、図１〜図４を参照しながら説明されたＵＥ１１５の態様の一例であり得る。ワイヤレスデバイス５００は、受信機５０５、ＭＴＣ再チューニングモジュール５１０、または送信機５１５を含み得る。ワイヤレスデバイス５００はプロセッサをも含み得る。これらの構成要素の各々は互いと通信していることがある。
【０１６７】
[0175]受信機５０５は、パケット、ユーザデータ、または様々な情報チャネルに関連する制御情報（たとえば、制御チャネル、データチャネル、およびｅＭＴＣのための再チューニングに関係する情報など）などの情報を受信し得る。情報は、ＭＴＣ再チューニングモジュール５１０に、およびワイヤレスデバイス５００の他の構成要素に受け渡され得る。
【０１６８】
[0176]ＭＴＣ再チューニングモジュール５１０は、システム帯域幅の第１の周波数帯域中で、ＴＴＩ中に第１のアップリンクメッセージを送信し、第２のＴＴＩの第１の部分中に送信機をシステム帯域幅の第２の周波数帯域に再チューンし、第２の周波数帯域中で、第２のＴＴＩの第２の部分中に第２のアップリンクメッセージを送信し得る。ＭＴＣ再チューニングモジュール５１０は、システム帯域幅の第１の周波数帯域中で、第１のＴＴＩ中に第１のダウンリンクメッセージを受信し、第２のＴＴＩの第１の部分中に、受信機送信機をシステム帯域幅の第２の周波数帯域に再チューンし、第２の周波数帯域中で第２のＴＴＩの第２の部分中に第２のダウンリンクメッセージを受信し得る。
【０１６９】
[0177]送信機５１５は、ワイヤレスデバイス５００の他の構成要素から受信された信号を送信し得る。いくつかの例では、送信機５１５は、トランシーバモジュール中で受信機５０５とコロケート（collocate）され得る。送信機５１５は単一のアンテナを含み得るか、またはそれは複数のアンテナを含み得る。
【０１７０】
[0178]図６は、本開示の様々な態様による、ｅＭＴＣのための再チューニングをサポートするワイヤレスデバイス６００のブロック図を示す。ワイヤレスデバイス６００は、図１〜図５を参照しながら説明されたワイヤレスデバイス５００またはＵＥ１１５の態様の一例であり得る。ワイヤレスデバイス６００は、受信機５０５−ａ、ＭＴＣ再チューニングモジュール５１０−ａ、または送信機５１５−ａを含み得る。ワイヤレスデバイス６００はプロセッサをも含み得る。これらの構成要素の各々は互いと通信していることがある。ＭＴＣ再チューニングモジュール５１０−ａはまた、第１のＴＴＩモジュール６０５と、周波数再チューンモジュール６１０と、第２のＴＴＩモジュール６１５とを含み得る。
【０１７１】
[0179]受信機５０５−ａは、ＭＴＣ再チューニングモジュール５１０−ａに、およびワイヤレスデバイス６００の他の構成要素に受け渡され得る情報を受信し得る。ＭＴＣ再チューニングモジュール５１０−ａは、図５を参照しながら説明された動作を実行し得る。送信機５１５−ａは、ワイヤレスデバイス６００の他の構成要素から受信された信号を送信し得る。
【０１７２】
[0180]第１のＴＴＩモジュール６０５は、送信機５１５と組み合わせて、図２〜図４を参照しながら説明されたように、システム帯域幅の第１の周波数帯域中で、ＴＴＩ中に第１のアップリンクメッセージを送信し得る。第１のＴＴＩモジュール６０５はまた、受信機５０５と組み合わせて、図２〜図４を参照しながら説明されたように、システム帯域幅の第１の周波数帯域中で、ＴＴＩ中に第１のダウンリンクメッセージを受信し得る。第１のＴＴＩモジュール６０５は、第１の周波数帯域中で、異なるＵＥ（たとえば、ＬＴＥ規格のリリース８に従って動作するＵＥ）のためにスケジュールされたリソースおよびＳＲＳを含む第１のＴＴＩの一部分中に、基地局と通信し得る。第１のＴＴＩモジュール６０５はまた、システム帯域幅の第１の周波数帯域中で、第１のＴＴＩ中にＵＥから第１のアップリンクメッセージを受信し得る。いくつかの場合には、第１のＴＴＩモジュール６０５はまた、第１のＴＴＩの一部分がＳＲＳを含むかどうかを決定する。いくつかの例では、第１のＴＴＩモジュール６０５は、送信機５１５と組み合わせて、第１の周波数帯域中で、第１のＴＴＩ中に第１のメッセージを送信し得る。または、第１のＴＴＩモジュール６０５は、受信機５０５と組み合わせて、第２の周波数帯域中で、第３のＴＴＩ中に第１のメッセージを受信し得る。
【０１７３】
[0181]周波数再チューンモジュール６１０は、図２〜図４を参照しながら説明されたように、第２のＴＴＩの第１の部分中に、送信機５１５−ａをシステム帯域幅の第２の周波数帯域に再チューンし得る。周波数再チューンモジュール６１０はまた、第２のＴＴＩの第１の部分中に、受信機５０５−ａをシステム帯域幅の第２の周波数帯域に再チューンし得る。周波数再チューンモジュール６１０は、たとえば、ＳＲＳの持続時間中に第２の周波数帯域に再チューンし得る。周波数再チューンモジュール６１０は、いくつかの場合には、ＵＥが第１の周波数帯域から第２の周波数帯域に再チューンするための持続時間を決定し得る。いくつかの例では、ＵＥが再チューンするための持続時間を決定することは、ＵＥの間の特定された再チューニング時間（たとえば、規格によって特定された再チューニング時間）に基づいて持続時間を決定することを含む。いくつかの例では、特定された再チューニング時間は、基地局に接続されたまたはシステム内で動作するＵＥのための最長再チューニング時間に基づき得る。いくつかの場合には、周波数再チューンモジュール６１０は、システム帯域幅の第１の周波数帯域からシステム帯域幅の第２の周波数帯域にチューンするためにＴＴＩが指定されたと決定し得る。いくつかの例では、周波数再チューンモジュール６１０は、ＴＴＩの初期シンボル期間中に第１の周波数帯域から第２の周波数帯域にチューンし得る。周波数再チューンモジュール６１０は、第２のＴＴＩ中に、送信機または受信機を第２の周波数帯域に再チューンし得る。
【０１７４】
[0182]第２のＴＴＩモジュール６１５は、送信機５１５−ａと組み合わせて、図２〜図４を参照しながら説明されたように、第２の周波数帯域中で、第２のＴＴＩの第２の部分中に第２のアップリンクメッセージを送信し得る。いくつかの例では、第２のＴＴＩの第１の部分の持続時間は、システム帯域幅を用いて動作するＵＥの間の最長再チューニング時間に、または特定された再チューニング時間に、あるいはその両方に少なくとも部分的に基づき得る。第２のアップリンクメッセージを送信することは、たとえば、第２のＴＴＩの第１の部分の周りでレートマッチングすることを含み得る。いくつかの例では、第２のＴＴＩの第１の部分の持続時間は、送信機５１５−ａの再チューニング能力に少なくとも部分的に基づく。いくつかの例では、第２のＴＴＩの第２の部分（たとえば、データ領域）は、第２のＴＴＩの第１の部分（たとえば、制御領域）によってパンクチャされ得る。第２のＴＴＩモジュール６１５はまた、送信機５１５−ａと組み合わせて、第２のＴＴＩの第３の部分中でＤＭＲＳを送信し得、それは、第２のＴＴＩの第２の部分（たとえば、データ領域）に先行しそして第１の部分（たとえば、再チューニング部分）に後続し得る。第２のＴＴＩモジュール６１５はまた、ＵＥのためのＣＥ要件に少なくとも部分的に基づいて、第２のＴＴＩの第１の部分（たとえば、再チューニング部分）の持続時間を決定し得る。いくつかの場合には、第２のＴＴＩモジュール６１５は、ＴＴＩの初期シンボル期間以外のＴＴＩのシンボル中で基準信号を受信し得る。
【０１７５】
[0183]いくつかの例では、第２のＴＴＩモジュール６１５は、送信機５１５または受信機５０５と組み合わせて、第２の周波数帯域中で、第３のＴＴＩ中に第２のメッセージを送信または受信し得る。
【０１７６】
[0184]第２のＴＴＩモジュール６１５は、いくつかの場合には、および受信機５０５−ａと組み合わせて、図２〜図４を参照しながら説明されたように、第２の周波数帯域中で、第２のＴＴＩの第２の部分中に第２のダウンリンクメッセージを受信し得る。いくつかの例では、第２のＴＴＩの第１の部分は、第２のＴＴＩのデータ領域の一部と制御領域を含む。第２のＴＴＩモジュール６１５はまた、第２のＴＴＩの第１の部分が第２のダウンリンクメッセージの一部を含むと決定し得る。追加または代替として、第２のＴＴＩモジュール６１５は、他のデータ（たとえば、他のＵＥのためのデータスケジュール）を含むシンボルによって第２のダウンリンクメッセージがパンクチャされるという仮定に基づいて、第２のダウンリンクメッセージを復号し得る。いくつかの例では、第２のダウンリンクメッセージは、第１のダウンリンクメッセージの周りでレートマッチングされ得る。
【０１７７】
[0185]例として、第２のＴＴＩモジュール６１５はまた、第２の周波数帯域中で、第２のＴＴＩの一部分中に基地局と通信し得る。第２のＴＴＩモジュール６１５は、ＵＥの間の特定された再チューニング時間（たとえば、規格によって、ネットワーク事業者によってなど特定された再チューニング時間）に基づいて、第２のＴＴＩの第１の部分の持続時間を決定し得る。いくつかの例では、第２のＴＴＩの第１の部分は、第２のＴＴＩのデータ領域の一部と制御領域を含む。第２のＴＴＩモジュール６１５はまた、第２のＴＴＩの第１の部分の持続時間が第２のＴＴＩの制御領域を含むと決定し得る。いくつかの場合には、第２のＴＴＩモジュール６１５は、再チューニング能力に基づいて第２のＴＴＩの第１の部分の持続時間を決定する。第２のＴＴＩモジュール６１５はまた、ＣＥ要件に基づいて第２のＴＴＩの第１の部分の持続時間を決定し得る。
【０１７８】
[0186]図７は、本開示の様々な態様による、ｅＭＴＣのための再チューニングをサポートするワイヤレスデバイス５００またはワイヤレスデバイス６００の構成要素であり得るＭＴＣ再チューニングモジュール（MTC retuning module）５１０−ｂのブロック図７００を示す。ＭＴＣ再チューニングモジュール５１０−ｂは、図５〜図６を参照しながら説明したＭＴＣ再チューニングモジュール５１０の態様の一例であり得る。ＭＴＣ再チューニングモジュール５１０−ｂは、第１のＴＴＩモジュール６０５−ａと、周波数再チューンモジュール６１０−ａと、第２のＴＴＩモジュール６１５−ａとを含み得る。これらのモジュールの各々は、図６を参照しながら説明された機能を実行し得る。ＭＴＣ再チューニングモジュール５１０−ｂは、再チューニング能力シグナリングモジュール（retuning capability signaling module）７０５と、ＣＥモジュール７１０と、ダウンリンク制御チャネルモジュール７１５と、ダウンリンクデータモジュール７２０と、ダウンリンクデータ復調モジュール７２５と、プリコーディング行列モジュール７３０とをも含み得る。
【０１７９】
[0187]再チューニング能力シグナリングモジュール７０５は、送信機５１５と組み合わせて、図２〜図４を参照しながら説明されたように、再チューニング能力を示すシグナリングを送信し得、第２のＴＴＩの第１の部分の持続時間は再チューニング能力に基づく。再チューニング能力シグナリングモジュール７０５はまた、再チューニング能力を示すシグナリングを送信し得、第２のＴＴＩの第１の部分の持続時間は再チューニング能力に基づき得る。再チューニング能力シグナリングモジュール７０５は、ＵＥからシグナリングを受信し得、シグナリングは、ＵＥが再チューンするための持続時間を示し得、いくつかの場合には、持続時間は、シグナリングに基づいて決定される。
【０１８０】
[0188]ＣＥモジュール７１０は、図２〜図４を参照しながら説明されたように、ＣＥ要件を識別し得る。ＣＥモジュール７１０はまた、ＵＥのためのＣＥ要件を識別し得、ＵＥが再チューンするための持続時間は、ＣＥ要件に基づいて決定される。
【０１８１】
[0189]ダウンリンク制御チャネルモジュール７１５は、図２〜図４を参照しながら説明されたように、第１のＴＴＩ中にダウンリンク制御チャネルを受信し得、ダウンリンク制御チャネルはＤＭＲＳパターンを含み得る。ダウンリンク制御チャネルモジュール７１５はまた、決定に基づいて、第１の周波数帯域中で、第１のＴＴＩの一部分中に第２のＵＥと通信し得る。
【０１８２】
[0190]ダウンリンクデータモジュール７２０は、図２〜図４を参照しながら説明されたように、第２のＴＴＩ中にダウンリンクデータチャネルを受信し得る。いくつかの場合には、ダウンリンクデータ復調モジュール７２５は、図２〜図４を参照しながら説明されたように、少なくとも、ダウンリンク制御チャネルのＤＭＲＳパターンを使用して、ダウンリンクデータチャネルのデータを復調し得る。追加または代替として、プリコーディング行列モジュール７３０は、図２〜図４を参照しながら説明されたように、ダウンリンクチャネルのためのプリコーディング行列を決定し得、データは、少なくとも、ダウンリンク制御チャネルのＣＲＳパターンとダウンリンクデータチャネルのＣＲＳパターンとを使用して復調され得る。
【０１８３】
[0191]図８は、本開示の様々な態様による、ｅＭＴＣをサポートするＵＥを含む、システム８００の図を示す。システム８００は、図１、図２および図５〜図７を参照しながら説明されたワイヤレスデバイス５００、ワイヤレスデバイス６００、またはＵＥ１１５の一例であり得る、ＵＥ１１５−ｄを含み得る。ＵＥ１１５−ｄは、図５〜図７を参照しながら説明されたＭＴＣ再チューニングモジュール５１０の一例であり得る、ＭＴＣ再チューニングモジュール８１０を含み得る。ＵＥ１１５−ｄはＣＥモジュール８２５をも含み得、ＣＥモジュール８２５は、バンドル送信などを含む、様々なＣＥｓをサポートし得る。ＵＥ１１５−ｄは、通信を送信するための構成要素と通信を受信するための構成要素とを含む、双方向音声およびデータ通信のための構成要素をも含み得る。たとえば、ＵＥ１１５−ｄは、基地局１０５−ｄまたはＵＥ１１５−ｅと双方向に通信し得る。
【０１８４】
[0192]ＵＥ１１５−ｄは、プロセッサ８０５と、（ソフトウェア（ＳＷ）８２０を含む）メモリ８１５と、トランシーバ８３５と、１つまたは複数のアンテナ８４０とをも含み得、それらの各々は、（たとえば、バス８４５を介して）直接または間接的に互いと通信し得る。トランシーバ８３５は、上記で説明されたように、（１つまたは複数の）アンテナ８４０あるいはワイヤードリンクまたはワイヤレスリンクを介して、１つまたは複数のネットワークと双方向に通信し得る。たとえば、トランシーバ８３５は、基地局１０５または別のＵＥ１１５と双方向に通信し得る。トランシーバ８３５は、パケットを変調し、変調されたパケットを送信のために（１つまたは複数の）アンテナ８４０に与え、（１つまたは複数の）アンテナ８４０から受信されたパケットを復調するためのモデムを含み得る。ＵＥ１１５−ｄは、単一のアンテナ８４０を含み得るが、ＵＥ１１５−ｄはまた、複数の(multiple)ワイヤレス送信を同時に送信または受信することが可能な複数の(multiple)アンテナ８４０を有し得る。
【０１８５】
[0193]いくつかの例では、ＭＴＣ再チューニングモジュール８１０は、再チューニング動作中のパンクチャリングまたはレートマッチングの必要性を回避するために様々な動作を実行し得る。たとえば、ＭＴＣ再チューニングモジュール８１０は、ＴＴＩが、周波数ホッピング動作がその間に実行されるべきである時間間隔であるかまたはそれを含むと決定し得、そしてそれに応じて送信機または受信機を再チューンし得る。いくつかの例では、ＭＴＣ再チューニングモジュール８１０は、ＴＴＩが他のＴＴＩとは異なる送信方向のために構成されたと決定し得、それに応じて再チューニング動作を調整し得る。
【０１８６】
[0194]メモリ８１５は、ランダムアクセスメモリ（ＲＡＭ）および読取り専用メモリ（ＲＯＭ）を含み得る。メモリ８１５は、実行されたとき、プロセッサ８０５に本明細書で説明される様々な機能（たとえば、ｅＭＴＣのための再チューニングなど）を実行させる命令を含むコンピュータ可読、コンピュータ実行可能ソフトウェア／ファームウェアコード８２０を記憶し得る。代替的に、ソフトウェア／ファームウェアコード８２０は、プロセッサ８０５によって直接的に実行可能でないことがあるが、（たとえば、コンパイルされ実行されたとき）コンピュータに本明細書で説明される機能を実行させ得る。プロセッサ８０５は、インテリジェントハードウェアデバイス（たとえば、中央処理ユニット（ＣＰＵ）、マイクロコントローラ、特定用途向け集積回路（ＡＳＩＣ）など）を含み得る。
【０１８７】
[0195]図９は、本開示の様々な態様による、ｅＭＴＣのための再チューニングをサポートするワイヤレスデバイス９００のブロック図を示す。ワイヤレスデバイス９００は、図１〜図８を参照しながら説明された基地局１０５の態様の一例であり得る。ワイヤレスデバイス９００は、受信機９０５、基地局ＭＴＣ再チューニングモジュール９１０、または送信機９１５を含み得る。ワイヤレスデバイス９００はプロセッサをも含み得る。これらの構成要素の各々は互いと通信していることがある。
【０１８８】
[0196]受信機９０５は、パケット、ユーザデータ、または様々な情報チャネルに関連する制御情報（たとえば、制御チャネル、データチャネル、およびｅＭＴＣのための再チューニングに関係する情報など）などの情報を受信し得る。情報は、基地局ＭＴＣ再チューニングモジュール９１０に、およびワイヤレスデバイス９００の他の構成要素に受け渡され得る。
【０１８９】
[0197]基地局ＭＴＣ再チューニングモジュール９１０は、システム帯域幅の第１の周波数帯域中で、第１のＴＴＩ中に第１のダウンリンクメッセージをＵＥに送信し、ＵＥによる再チューニングを考慮するために、第２のＴＴＩの第１の部分中にＵＥに送信することを控え、第２の周波数帯域中で第２のＴＴＩの第２の部分中に第２のダウンリンクメッセージをＵＥに送信し得る。
【０１９０】
[0198]送信機９１５は、ワイヤレスデバイス９００の他の構成要素から受信された信号を送信し得る。いくつかの例では、送信機９１５は、トランシーバモジュール中で受信機９０５とコロケートされ得る。送信機９１５は単一のアンテナを含み得るか、またはそれは複数のアンテナを含み得る。
【０１９１】
[0199]図１０は、本開示の様々な態様による、ｅＭＴＣのための再チューニングをサポートするワイヤレスデバイス１０００のブロック図を示す。ワイヤレスデバイス１０００は、図１〜図９を参照しながら説明されたワイヤレスデバイス９００または基地局１０５の態様の一例であり得る。ワイヤレスデバイス１０００は、受信機９０５−ａ、基地局ＭＴＣ再チューニングモジュール９１０−ａ、または送信機９１５−ａを含み得る。ワイヤレスデバイス１０００はプロセッサをも含み得る。これらの構成要素の各々は互いと通信していることがある。基地局ＭＴＣ再チューニングモジュール９１０−ａはまた、ＢＳ第１のＴＴＩモジュール１００５と、ＢＳ周波数再チューンモジュール１０１０と、ＢＳ第２のＴＴＩモジュール１０１５と、ＢＳダウンリンク制御チャネルモジュール１０２０と、ＢＳダウンリンクデータモジュール１０２５と、制御チャネルフォーマットシグナリングモジュール１０３０と、制御信号構成モジュール１０３５と、パンクチャドデータ信号モジュール１０４０とを含み得る。
【０１９２】
[0200]受信機９０５−ａは、基地局ＭＴＣ再チューニングモジュール９１０−ａに、およびワイヤレスデバイス１０００の他の構成要素に受け渡され得る情報を受信し得る。基地局ＭＴＣ再チューニングモジュール９１０−ａは、図９を参照しながら説明された動作を実行し得る。送信機９１５−ａは、ワイヤレスデバイス１０００の他の構成要素から受信された信号を送信し得る。
【０１９３】
[0201]ＢＳ第１のＴＴＩモジュール１００５は、送信機９１５−ａと組み合わせて、図２〜図４を参照しながら説明されたように、システム帯域幅の第１の周波数帯域中で、第１のＴＴＩ中に第１のダウンリンクメッセージをＵＥに送信し得る。
【０１９４】
[0202]ＢＳ周波数再チューンモジュール１０１０は、図２〜図４を参照しながら説明されたように、ＵＥによる再チューニングを考慮するために、第２のＴＴＩの第１の部分中にＵＥに送信することを控えるか、または送信機９１５−ａにそれを控えさせ得る。
【０１９５】
[0203]ＢＳ第２のＴＴＩモジュール１０１５は、送信機９１５−ａと組み合わせて、図２〜図４を参照しながら説明されたように、第２の周波数帯域中で、第２のＴＴＩの第２の部分中に第２のダウンリンクメッセージをＵＥに送信し得る。いくつかの例では、ＢＳ第２のＴＴＩモジュール１０１５はまた、システム帯域幅の第２の周波数帯域中で、第２のＴＴＩ中にＵＥから第２のアップリンクメッセージを受信し得る。ＢＳ第２のＴＴＩモジュール１０１５は、いくつかの場合には、決定された持続時間に基づいて第２のアップリンクメッセージを復号し得る。追加または代替として、ＢＳ第２のＴＴＩモジュール１０１５は、第２のＴＴＩの第１の部分中に第２のアップリンクメッセージを監視し得る。ＢＳ第２のＴＴＩモジュール１０１５は、いくつかの場合には、第２のＴＴＩの第１の部分内の第２のアップリンクメッセージの一部を検出し得、ＵＥが再チューンするための持続時間を決定することは、第２のアップリンクメッセージの一部を検出することに基づき得る。
【０１９６】
[0204]いくつかの場合には、ＢＳ第２のＴＴＩモジュール１０１５は、第２のＴＴＩの第１の部分中にＤＭＲＳを監視し得る。ＢＳ第２のＴＴＩモジュール１０１５は、たとえば、第２のＴＴＩの第１の部分中でＤＲＭＳを受信することに基づいて、第２のアップリンクメッセージを検出し得、ＵＥが再チューンするための持続時間を決定することは、ＤＭＲＳを受信することに基づき得る。いくつかの例では、第２のアップリンクメッセージは、第２のＴＴＩの第２の部分中に受信される。第２のアップリンクメッセージは、第１のアップリンクメッセージの周りでレートマッチングされ得る。ＢＳ第２のＴＴＩモジュール１０１５はまた、決定に基づいて、第２の周波数帯域中で、第２のＴＴＩの一部分中に第２のＵＥと通信し得る。
【０１９７】
[0205]図１１は、本開示の様々な態様による、ｅＭＴＣのための再チューニングをサポートするワイヤレスデバイス９００またはワイヤレスデバイス１０００の構成要素であり得る基地局ＭＴＣ再チューニングモジュール９１０−ｂのブロック図１１００を示す。基地局ＭＴＣ再チューニングモジュール９１０−ｂは、図９〜図１０を参照しながら説明された基地局ＭＴＣ再チューニングモジュール９１０の態様の一例であり得る。基地局ＭＴＣ再チューニングモジュール９１０−ｂは、ＢＳ第１のＴＴＩモジュール１００５−ａと、ＢＳ周波数再チューンモジュール１０１０−ａと、ＢＳ第２のＴＴＩモジュール１０１５−ａと、ＢＳダウンリンク制御チャネルモジュール１０２０−ａと、ＢＳダウンリンクデータモジュール１０２５−ａと、制御チャネルフォーマットシグナリングモジュール１０３０−ａと、制御信号構成モジュール１０３５−ａと、パンクチャドデータ信号モジュール１０４０−ａとを含み得る。これらのモジュールの各々は、図１０を参照しながら説明された機能を実行し得る。基地局ＭＴＣ再チューニングモジュール９１０−ｂは、ＢＳ再チューニング能力シグナリングモジュール１１０５と、ＢＳ  ＣＥモジュール１１１０とをも含み得る。
【０１９８】
[0206]ＢＳ再チューニング能力シグナリングモジュール（BS retuning capability signaling module）１１０５は、図２〜図４を参照しながら説明されたように、再チューニング能力を示すシグナリングをＵＥから受信し得る。ＢＳ  ＣＥモジュール１１１０は、図２〜図４を参照しながら説明されたように、ＵＥのためのＣＥ要件を識別し得る。いくつかの場合には、ＢＳダウンリンク制御チャネルモジュール１１２０は、図２〜図４を参照しながら説明されたように、第１のＴＴＩ中にダウンリンク制御チャネルを送信し得、ダウンリンク制御チャネルは、ＤＭＲＳパターンを含み得、プリコーダを使用して送信され得る。
【０１９９】
[0207]ＢＳダウンリンクデータモジュール１１２５は、いくつかの場合には、図２〜図４を参照しながら説明されたように、第２のＴＴＩ中にダウンリンクデータチャネルを送信し得、ダウンリンクデータチャネルは、プリコーダを使用して送信され得る。制御チャネルフォーマットシグナリングモジュール１１３０は、図２〜図４を参照しながら説明されたように、制御チャネルフォーマットを示すシグナリングをＵＥに送信し得る。制御信号構成モジュール１１３５は、図２〜図４を参照しながら説明されたように、制御信号が制御チャネルフォーマットを超えると決定し得る。いくつかの例では、パンクチャドデータ信号モジュール１１４０は、図２〜図４を参照しながら説明されたように、データ信号をＵＥに送信し得、データ信号は制御信号の一部分によってパンクチャされ得る。いくつかの例では、データ信号を送信することは、電力ブーストされたデータ信号を送信することを含む。
【０２００】
[0208]図１２は、本開示の様々な態様による、ｅＭＴＣのための再チューニングをサポートする基地局１０５を含むシステム１２００の図を示す。システム１２００は、図１、図２および図９〜図１１を参照しながら説明されたワイヤレスデバイス９００、ワイヤレスデバイス１０００、または基地局１０５の一例であり得る、基地局１０５−ｅを含み得る。基地局１０５−ｅは、図９〜図１１を参照しながら説明された基地局ＭＴＣ再チューニングモジュール９１０の一例であり得る、基地局ＭＴＣ再チューニングモジュール１２１０を含み得る。基地局１０５−ｅは、通信を送信するための構成要素と通信を受信するための構成要素とを含む、双方向音声およびデータ通信のための構成要素をも含み得る。たとえば、基地局１０５−ｅは、ＵＥ１１５−ｆまたはＵＥ１１５−ｇと双方向に通信し得る。
【０２０１】
[0209]いくつかの場合には、基地局１０５−ｅは、１つまたは複数のワイヤードバックホールリンク（wired backhaul links）を有し得る。基地局１０５−ｅは、コアネットワーク１３０−ａへのワイヤードバックホールリンク（たとえば、Ｓ１インターフェースなど）を有し得る。基地局１０５−ｅはまた、基地局間バックホールリンク（たとえば、Ｘ２インターフェース）を介して、基地局１０５−ｆおよび基地局１０５−ｇなど、他の基地局１０５と通信し得る。基地局１０５の各々は、同じまたは異なるワイヤレス通信技術を使用してＵＥ１１５と通信し得る。いくつかの場合には、基地局１０５−ｅは、基地局通信モジュール１２２５を利用して１０５−ｆまたは１０５−ｇなどの他の基地局と通信し得る。いくつかの例では、基地局通信モジュール１２２５は、基地局１０５のうちのいくつかの間の通信を行うために、ロングタームエボリューション（ＬＴＥ）／ＬＴＥ−Ａワイヤレス通信ネットワーク技術内のＸ２インターフェースを与え得る。いくつかの例では、基地局１０５−ｅは、コアネットワーク１３０を通して他の基地局と通信し得る。いくつかの場合には、基地局１０５−ｅは、ネットワーク通信モジュール１２３０を通してコアネットワーク１３０と通信し得る。
【０２０２】
[0210]基地局１０５−ｅは、プロセッサ１２０５と、（ソフトウェア（ＳＷ）１２２０を含む）メモリ１２１５と、トランシーバ１２３５と、（１つまたは複数の）アンテナ１２４０とを含み得、それらの各々は、（たとえば、バスシステム１２４５を介して）直接または間接的に互いと通信していることがある。トランシーバ１２３５は、（１つまたは複数の）アンテナ１２４０を介して、マルチモードデバイスであり得るＵＥ１１５と双方向に通信するように構成され得る。トランシーバ１２３５（または基地局１０５−ｅの他の構成要素）はまた、アンテナ１２４０を介して、１つまたは複数の他の基地局（図示せず）と双方向に通信するように構成され得る。トランシーバ１２３５は、パケットを変調し、変調されたパケットを送信のためにアンテナ１２４０に与え、アンテナ１２４０から受信されたパケットを復調するように構成されたモデムを含み得る。基地局１０５−ｅは、各々が１つまたは複数の関連するアンテナ１２４０をもつ、複数の(multiple)トランシーバ１２３５を含み得る。トランシーバは、図９の組み合わせられた受信機９０５および送信機９１５の一例であり得る。
【０２０３】
[0211]メモリ１２１５はＲＡＭおよびＲＯＭを含み得る。メモリ１２１５はまた、実行されたとき、プロセッサ１２０５に本明細書で説明される様々な機能（たとえば、ｅＭＴＣのための再チューニング、ＣＥ技法を選択すること、呼処理、データベース管理、メッセージルーティングなど）を実行させるように構成された命令を含んでいるコンピュータ可読、コンピュータ実行可能ソフトウェアコード１２２０を記憶し得る。代替的に、ソフトウェア１２２０は、プロセッサ１２０５によって直接的に実行可能でないことがあるが、たとえば、コンパイルされ実行されたとき、コンピュータに本明細書で説明される機能を実行させるように構成され得る。プロセッサ１２０５は、インテリジェントハードウェアデバイス、たとえば、ＣＰＵ、マイクロコントローラ、ＡＳＩＣなどを含み得る。プロセッサ１２０５は、エンコーダ、キュー処理モジュール、ベースバンドプロセッサ、無線ヘッドコントローラ、デジタル信号プロセッサ（ＤＳＰ）など、様々な専用プロセッサを含み得る。
【０２０４】
[0212]いくつかの例では、ＢＳ  ＭＴＣ再チューニングモジュール１２１０は、再チューニング動作中のパンクチャリングまたはレートマッチングの必要性を回避するために様々な動作を実行し得る。たとえば、ＢＳ  ＭＴＣ再チューニングモジュール１２１０は、ＴＴＩが、周波数ホッピング動作がその間に実行されるべきである時間間隔であるかまたはそれを含むと決定し得、それに応じて送信機または受信機を再チューンし得る。いくつかの例では、ＢＳ  ＭＴＣ再チューニングモジュール１２１０は、ＴＴＩが他のＴＴＩとは異なる送信方向のために構成されたと決定し得、それに応じて再チューニング動作を調整し得る。
【０２０５】
[0213]基地局通信モジュール１２２５は、他の基地局１０５との通信を管理し得る。いくつかの場合には、通信管理モジュールは、他の基地局１０５と協働してＵＥ１１５との通信を制御するためのコントローラまたはスケジューラを含み得る。たとえば、基地局通信モジュール１２２５は、ビームフォーミングまたはジョイント送信などの様々な干渉緩和技法（interference mitigation techniques）のためのＵＥ１１５への送信のためのスケジューリングを協調させ得る。
【０２０６】
[0214]ワイヤレスデバイス５００、ワイヤレスデバイス６００、およびＭＴＣ再チューニングモジュール５１０−ｂの構成要素は、ＵＥ１１５−ｄ、ワイヤレスデバイス９００、ワイヤレスデバイス１０００、ＢＳ  ＭＴＣ再チューニングモジュール９１０−ｂ、および基地局１０５−ｅは、各々、適用可能な機能の一部または全部をハードウェアで実行するように適応された少なくとも１つのＡＳＩＣを用いて、個々にまたはまとめて実装され得る。代替的に、それらの機能は、１つまたは複数の他の処理ユニット（またはコア）によって、少なくとも１つのＩＣ上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的または部分的に、１つまたは複数の汎用または特定用途向けプロセッサによって実行されるようにフォーマットされた、メモリ中に組み込まれた命令を用いて実装され得る。
【０２０７】
[0215]図１３は、本開示の様々な態様による、ｅＭＴＣのための再チューニングのための方法１３００を示すフローチャートを示す。方法１３００の動作は、図１〜図１２を参照しながら説明されたように、ＵＥ１１５またはそれの構成要素によって実装され得る。たとえば、方法１３００の動作は、図５〜図８を参照しながら説明されたように、ＭＴＣ再チューニングモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２０８】
[0216]ブロック１３０５において、ＵＥ１１５は、図２〜図４を参照しながら説明されたように、システム帯域幅の第１の周波数帯域中で、ＴＴＩ中に第１のアップリンクメッセージを送信する。いくつかの例では、ブロック１３０５の動作は、図６を参照しながら説明されたように、第１のＴＴＩモジュール６０５によって実行され得る。
【０２０９】
[0217]ブロック１３１０において、ＵＥ１１５は、図２〜図４を参照しながら説明されたように、第２のＴＴＩの第１の部分中に、送信機をシステム帯域幅の第２の周波数帯域に再チューンする。いくつかの例では、ブロック１３１０の動作は、図６を参照しながら説明されたように、周波数再チューンモジュール６１０によって実行され得る。
【０２１０】
[0218]ブロック１３１５において、ＵＥ１１５は、図２〜図４を参照しながら説明されたように、第２の周波数帯域中で、第２のＴＴＩの第２の部分中に第２のアップリンクメッセージを送信する。いくつかの例では、ブロック１３１５の動作は、図６を参照しながら説明されたように、第２のＴＴＩモジュール６１５によって実行され得る。
【０２１１】
[0219]図１４は、本開示の様々な態様による、ｅＭＴＣのための再チューニングのための方法１４００を示すフローチャートを示す。方法１４００の動作は、図１〜図１２を参照しながら説明されたように、ＵＥ１１５またはそれの構成要素によって実装され得る。たとえば、方法１４００の動作は、図５〜図８を参照しながら説明されたように、ＭＴＣ再チューニングモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２１２】
[0220]ブロック１４０５において、ＵＥ１１５は、図２〜図４を参照しながら説明されたように、システム帯域幅の第１の周波数帯域中で、第１のＴＴＩ中に第１のダウンリンクメッセージを受信する。いくつかの例では、ブロック１４０５の動作は、図６を参照しながら説明されたように、第１のＴＴＩモジュール６０５によって実行され得る。
【０２１３】
[0221]ブロック１４１０において、ＵＥ１１５は、図２〜図４を参照しながら説明されたように、第２のＴＴＩの第１の部分中に、受信機をシステム帯域幅の第２の周波数帯域に再チューンする。いくつかの例では、ブロック１４１０の動作は、図６を参照しながら説明されたように、周波数再チューンモジュール６１０によって実行され得る。
【０２１４】
[0222]ブロック１４１５において、ＵＥ１１５は、図２〜図４を参照しながら説明されたように、第２の周波数帯域中で、第２のＴＴＩの第２の部分中に第２のダウンリンクメッセージを受信する。いくつかの例では、ブロック１４１５の動作は、図６を参照しながら説明されたように、第２のＴＴＩモジュール６１５によって実行され得る。
【０２１５】
[0223]図１５は、本開示の様々な態様による、拡張ＣＥ動作のための方法１５００を示すフローチャートを示す。方法１５００の動作は、図１〜図１２を参照しながら説明されたように、ＵＥ１１５またはそれの構成要素によって実装され得る。たとえば、方法１５００の動作は、図５〜図８を参照しながら説明されたように、ＭＴＣ再チューニングモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２１６】
[0224]ブロック１５０５において、ＵＥ１１５は、図２〜図４を参照しながら説明されたように、第１のＴＴＩ中にダウンリンク制御チャネルを受信し、ダウンリンク制御チャネルはＤＭＲＳパターンを備える。いくつかの例では、ブロック１５０５の動作は、図７を参照しながら説明されたように、ダウンリンク制御チャネルモジュール７１５によって実行され得る。
【０２１７】
[0225]ブロック１５１０において、ＵＥ１１５は、図２〜図４を参照しながら説明されたように、第２のＴＴＩ中にダウンリンクデータチャネルを受信する。いくつかの例では、ブロック１５１０の動作は、図７を参照しながら説明されたように、ダウンリンクデータモジュール７２０によって実行され得る。
【０２１８】
[0226]ブロック１５１５において、ＵＥ１１５は、図２〜図４を参照しながら説明されたように、少なくとも、ダウンリンク制御チャネルのＤＭＲＳパターンを使用して、ダウンリンクデータチャネルのデータを復調する。いくつかの例では、ブロック１５１５の動作は、図７を参照しながら説明されたように、ダウンリンクデータ復調モジュール７２５によって実行され得る。
【０２１９】
[0227]図１６は、本開示の様々な態様による、ｅＭＴＣのための再チューニングのための方法１６００を示すフローチャートを示す。方法１６００の動作は、図１〜図１２を参照しながら説明されたように、基地局１０５またはそれの構成要素によって実装され得る。たとえば、方法１６００の動作は、図９〜図１２を参照しながら説明されたように、基地局ＭＴＣ再チューニングモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０２２０】
[0228]ブロック１６０５において、基地局１０５は、図２〜図４を参照しながら説明されたように、システム帯域幅の第１の周波数帯域中で、第１のＴＴＩ中に第１のダウンリンクメッセージをＵＥに送信する。いくつかの例では、ブロック１６０５の動作は、図１０を参照しながら説明されたように、ＢＳ第１のＴＴＩモジュール１００５によって実行され得る。
【０２２１】
[0229]ブロック１６１０において、基地局１０５は、図２〜図４を参照しながら説明されたように、ＵＥによる再チューニングを考慮するために、第２のＴＴＩの第１の部分中にＵＥに送信することを控える。いくつかの例では、ブロック１６１０の動作は、図１０を参照しながら説明されたように、ＢＳ周波数再チューンモジュール１０１０によって実行され得る。
【０２２２】
[0230]ブロック１６１５において、基地局１０５は、図２〜図４を参照しながら説明されたように、第２の周波数帯域中で、第２のＴＴＩの第２の部分中に第２のダウンリンクメッセージをＵＥに送信する。いくつかの例では、ブロック１６１５の動作は、図１０を参照しながら説明されたように、ＢＳ第２のＴＴＩモジュール１０１５によって実行され得る。
【０２２３】
[0231]図１７は、本開示の様々な態様による、ｅＭＴＣのための再チューニングのための方法１７００を示すフローチャートを示す。方法１７００の動作は、図１〜図１２を参照しながら説明されたように、基地局１０５またはそれの構成要素によって実装され得る。たとえば、方法１７００の動作は、図９〜図１２を参照しながら説明されたように、基地局ＭＴＣ再チューニングモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０２２４】
[0232]ブロック１７０５において、基地局１０５は、図２〜図４を参照しながら説明されたように、システム帯域幅の第１の周波数帯域中で、第１のＴＴＩ中にＵＥから第１のアップリンクメッセージを受信する。いくつかの例では、ブロック１７０５の動作は、図６を参照しながら説明されたように、第１のＴＴＩモジュール６０５によって実行され得る。
【０２２５】
[0233]ブロック１７１０において、基地局１０５は、図２〜図４を参照しながら説明されたように、システム帯域幅の第２の周波数帯域中で、第２のＴＴＩ中にＵＥから第２のアップリンクメッセージを受信する。いくつかの例では、ブロック１７１０の動作は、図６を参照しながら説明されたように、第２のＴＴＩモジュール６１５によって実行され得る。
【０２２６】
[0234]ブロック１７１５において、基地局１０５は、図２〜図４を参照しながら説明されたように、ＵＥが第１の周波数帯域から第２の周波数帯域に再チューンするための持続時間を決定する。いくつかの例では、ブロック１７１５の動作は、図６を参照しながら説明されたように、周波数再チューンモジュール６１０によって実行され得る。
【０２２７】
[0235]ブロック１７２０において、基地局１０５は、図２〜図４を参照しながら説明されたように、決定された持続時間に少なくとも部分的に基づいて、第２のアップリンクメッセージを復号する。いくつかの例では、ブロック１７２０の動作は、図６を参照しながら説明されたように、第２のＴＴＩモジュール６１５によって実行され得る。
【０２２８】
[0236]図１８は、本開示の様々な態様による、拡張ＣＥ動作のための方法１８００を示すフローチャートを示す。方法１８００の動作は、図１〜図１２を参照しながら説明されたように、基地局１０５またはそれの構成要素によって実装され得る。たとえば、方法１８００の動作は、図９〜図１２を参照しながら説明されたように、基地局ＭＴＣ再チューニングモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０２２９】
[0237]ブロック１８０５において、基地局１０５は、図２〜図４を参照しながら説明されたように、第１のＴＴＩ中にダウンリンク制御チャネルを送信し、ダウンリンク制御チャネルは、ＤＭＲＳパターンを備え、プリコーダを使用して送信される。いくつかの例では、ブロック１８０５の動作は、図１１を参照しながら説明されたように、ＢＳダウンリンク制御チャネルモジュール１１２０によって実行され得る。
【０２３０】
[0238]ブロック１８１０において、基地局１０５は、図２〜図４を参照しながら説明されたように、第２のＴＴＩ中にダウンリンクデータチャネルを送信し、ここにおいて、ダウンリンクデータチャネルは、プリコーダを使用して送信される。いくつかの例では、ブロック１８１０の動作は、図１１を参照しながら説明されたように、ＢＳダウンリンクデータモジュール１１２５によって実行され得る。
【０２３１】
[0239]図１９は、本開示の様々な態様による、ＣＦＩオーバーライディング（CFI overriding）のための方法１９００を示すフローチャートを示す。方法１９００の動作は、図１〜図１２を参照しながら説明されたように、基地局１０５またはそれの構成要素によって実装され得る。たとえば、方法１９００の動作は、図９〜図１２を参照しながら説明されたように、基地局ＭＴＣ再チューニングモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０２３２】
[0240]ブロック１９０５において、基地局１０５は、図２〜図４を参照しながら説明されたように、制御チャネルフォーマットを示すシグナリングをＵＥに送信する。いくつかの例では、ブロック１９０５の動作は、図１１を参照しながら説明されたように、制御チャネルフォーマットシグナリングモジュール１１３０によって実行され得る。
【０２３３】
[0241]ブロック１９１０において、基地局１０５は、図２〜図４を参照しながら説明されたように、制御信号が制御チャネルフォーマットを超えると決定する。いくつかの例では、ブロック１９１０の動作は、図１１を参照しながら説明されたように、制御信号構成モジュール１１３５によって実行され得る。
【０２３４】
[0242]ブロック１９１５において、基地局１０５は、図２〜図４を参照しながら説明されたように、データ信号をＵＥに送信し、ここにおいて、データ信号は制御信号の一部分によってパンクチャされる。いくつかの例では、ブロック１９１５の動作は、図１１を参照しながら説明されたように、パンクチャドデータ信号モジュール１１４０によって実行され得る。
【０２３５】
[0243]図２０は、本開示の様々な態様による、ｅＭＴＣのための再チューニングのための方法２０００を示すフローチャートを示す。方法２０００の動作は、図１〜図１２を参照しながら説明されたように、基地局１０５またはそれの構成要素によって実装され得る。たとえば、方法２０００の動作は、図９〜図１２を参照しながら説明されたように、基地局ＭＴＣ再チューニングモジュール９１０によって実行され得る。いくつかの例では、基地局１０５は、以下で説明される機能を実行するように基地局１０５の機能要素を制御するためのコードのセットを実行し得る。追加または代替として、基地局１０５は、専用ハードウェアを使用して、以下で説明される機能態様を実行し得る。
【０２３６】
[0244]ブロック２００５において、基地局１０５は、図２〜図４を参照しながら説明されたように、第１のＴＴＩの一部分が、（たとえば、ＳＲＳリソース構成による）短縮ＰＵＣＣＨフォーマットと、第１の周波数帯域中で第１のＵＥのためにスケジュールされたデータとを含むと決定する。いくつかの例では、ブロック２００５の動作は、図１０を参照しながら説明されたように、ＢＳ第１のＴＴＩモジュール１００５によって実行され得る。
【０２３７】
[0245]ブロック２０１０において、基地局１０５は、図２〜図４を参照しながら説明されたように、決定に基づいて、第１の周波数帯域中で、第１のＴＴＩの一部分中に第２のＵＥと通信する。いくつかの例では、ブロック２０１０の動作は、図１０を参照しながら説明されたように、ＢＳ第２のＴＴＩモジュール１０１５によって実行され得る。
【０２３８】
[0246]ブロック２０１５において、基地局１０５は、図２〜図４を参照しながら説明されたように、決定に基づいて、第２の周波数帯域中で、第２のＴＴＩの一部分中に第２のＵＥと通信する。いくつかの例では、ブロック２０１５の動作は、図１０を参照しながら説明されたように、ＢＳ第２のＴＴＩモジュール１０１５によって実行され得る。
【０２３９】
[0247]図２１は、本開示の様々な態様による、ｅＭＴＣのための再チューニングのための方法２１００を示すフローチャートを示す。方法２１００の動作は、図１〜図２０を参照しながら説明されたように、ＵＥ１１５またはそれの構成要素によって実装され得る。たとえば、方法２１００の動作は、図５〜図８を参照しながら説明されたように、ＭＴＣ再チューニングモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２４０】
[0248]ブロック２１０５において、ＵＥ１１５は、図２〜図４を参照しながら説明されたように、システム帯域幅の第１の周波数帯域からシステム帯域幅の第２の周波数帯域にチューンするためにＴＴＩが指定されたと決定する。いくつかの例では、ブロック２１０５の動作は、図６を参照しながら説明されたように、周波数再チューンモジュール６１０によって実行され得る。
【０２４１】
[0249]ブロック２１１０において、ＵＥ１１５は、図２〜図４を参照しながら説明されたように、ＴＴＩの初期シンボル期間中に第１の周波数帯域から第２の周波数帯域にチューンする。いくつかの例では、ブロック２１１０の動作は、図６を参照しながら説明されたように、周波数再チューンモジュール６１０によって実行され得る。
【０２４２】
[0250]ブロック２１１５において、ＵＥ１１５は、図２〜図４を参照しながら説明されたように、ＴＴＩの初期シンボル期間以外のＴＴＩのシンボル中で基準信号を受信する。いくつかの例では、ブロック２１１５の動作は、図６を参照しながら説明されたように、第２のＴＴＩモジュール６１５によって実行され得る。
【０２４３】
[0251]図２２は、本開示の様々な態様による、ｅＭＴＣのための再チューニングのための方法２２００を示すフローチャートを示す。方法２２００の動作は、図１〜図１２を参照しながら説明されたように、ＵＥ１１５またはそれの構成要素によって実装され得る。たとえば、方法２２００の動作は、図５〜図８を参照しながら説明されたように、ＭＴＣ再チューニングモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２４４】
[0252]ブロック２２０５において、ＵＥ１１５は、図２〜図４を参照しながら説明されたように、システム帯域幅の第１の周波数帯域中で、第１のＴＴＩ中に第１のメッセージを送信する。いくつかの例では、ブロック２２０５の動作は、図６を参照しながら説明されたように、第１のＴＴＩモジュール６０５によって実行され得る。
【０２４５】
[0253]ブロック２２１０において、ＵＥ１１５は、図２〜図４を参照しながら説明されたように、第２のＴＴＩ中に、送信機をシステム帯域幅の第２の周波数帯域に再チューンする。いくつかの例では、ブロック２２１０の動作は、図６を参照しながら説明されたように、周波数再チューンモジュール６１０によって実行され得る。
【０２４６】
[0254]ブロック２２１５において、ＵＥ１１５は、図２〜図４を参照しながら説明されたように、第２の周波数帯域中で、第３のＴＴＩ中に第２のメッセージを送信する。いくつかの例では、ブロック２２１５の動作は、図６を参照しながら説明されたように、第２のＴＴＩモジュール６１５によって実行され得る。
【０２４７】
[0255]図１４は、本開示の様々な態様による、ｅＭＴＣのための再チューニングのための方法１４００を示すフローチャートを示す。方法２３００の動作は、図１〜図１２を参照しながら説明されたように、ＵＥ１１５またはそれの構成要素によって実装され得る。たとえば、方法２３００の動作は、図５〜図８を参照しながら説明されたように、ＭＴＣ再チューニングモジュール５１０によって実行され得る。いくつかの例では、ＵＥ１１５は、以下で説明される機能を実行するようにＵＥ１１５の機能要素を制御するためのコードのセットを実行し得る。追加または代替として、ＵＥ１１５は、専用ハードウェアを使用して、以下で説明される機能態様を実行し得る。
【０２４８】
[0256]ブロック２３０５において、ＵＥ１１５は、図２〜図４を参照しながら説明されたように、システム帯域幅の第１の周波数帯域中で、第１のＴＴＩ中に第１のメッセージを受信する。いくつかの例では、ブロック２２０５の動作は、図６を参照しながら説明されたように、第１のＴＴＩモジュール６０５によって実行され得る。
【０２４９】
[0257]ブロック２３１０において、ＵＥ１１５は、図２〜図４を参照しながら説明されたように、第２のＴＴＩ中に、受信機をシステム帯域幅の第２の周波数帯域に再チューンする。いくつかの例では、ブロック２３１０の動作は、図６を参照しながら説明されたように、周波数再チューンモジュール６１０によって実行され得る。
【０２５０】
[0258]ブロック２３１５において、ＵＥ１１５は、図２〜図４を参照しながら説明されたように、第２の周波数帯域中で、第３のＴＴＩ中に第２のメッセージを受信する。いくつかの例では、ブロック１４１５の動作は、図６を参照しながら説明されたように、第２のＴＴＩモジュール６１５によって実行され得る。
【０２５１】
[0259]したがって、方法１３００、１４００、１５００、１６００、１７００、１８００、１９００、２０００、２１００、２２００、および２３００は、ｅＭＴＣのための再チューニング、ならびに様々なＣＥおよびｅＭＴＣ技法を提供し得る。方法１３００、１４００、１５００、１６００、１７００、１８００、１９００、２０００、および２１００は可能な実装形態を表すこと、ならびに動作およびステップは、他の実装形態が可能であるように、並べ替えられるかまたは場合によっては変更され得ることに留意されたい。いくつかの例では、方法１３００、１４００、１５００、１６００、１７００、１８００、１９００、２０００、および２１００のうちの２つまたはそれ以上からの態様が組み合わせられ得る。
【０２５２】
[0260]本明細書の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。また、いくつかの例に関して説明される特徴は、他の例において組み合わせられ得る。
【０２５３】
[0261]本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語は、しばしば互換的に使用される。符号分割多元接続（ＣＤＭＡ）システムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。時分割多元接続（ＴＤＭＡ）システムは、モバイル通信用グローバルシステム（ＧＳＭ（登録商標））などの無線技術を実装し得る。直交周波数分割多元接続（ＯＦＤＭＡ）システムは、ウルトラモバイルブロードバンド（ＵＭＢ）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ユニバーサルモバイルテレコミュニケーションズシステム（ＵＭＴＳ）、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術に使用され得る。ただし、本明細書の説明では、例としてＬＴＥシステムについて説明し、上記の説明の大部分においてＬＴＥ用語が使用されるが、本技法はＬＴＥ適用例以外に適用可能である。
【０２５４】
[0262]本明細書で説明されるそのようなネットワークを含む、ＬＴＥ／ＬＴＥ−Ａネットワークでは、発展型ノードＢ（ｅＮＢ）という用語は、概して、基地局を表すために使用され得る。本明細書で説明される１つまたは複数のワイヤレス通信システムは、異なるタイプの発展型ノードＢ（ｅＮＢ）が様々な地理的領域にカバレージを与える、異種ＬＴＥ／ＬＴＥ−Ａネットワークを含み得る。たとえば、各ｅＮＢまたは基地局は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ用語である。
【０２５５】
[0263]基地局は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語を含み得るか、またはそのように当業者によって呼ばれることがある。基地局のための地理的カバレージエリアは、カバレージエリアの一部分のみを構成するセクタに分割され得る。本明細書で説明される１つまたは複数のワイヤレス通信システムは、異なるタイプの基地局（たとえば、マクロセル基地局またはスモールセル基地局）を含み得る。本明細書で説明されるＵＥは、マクロｅＮＢ、スモールセルｅＮＢ、リレー基地局などを含む、様々なタイプの基地局およびネットワーク機器と通信することが可能であり得る。異なる技術のための重複する地理的カバレージエリアがあり得る。
【０２５６】
[0264]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセル、フェムトセル、およびマイクロセルを含み得る。ピコセルは、たとえば、小さい地理的エリアをカバーし得、ネットワークプロバイダのサービスに加入しているＵＥによる無制限アクセスを可能にし得る。フェムトセルは、小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の(multiple)（たとえば、２つ、３つ、４つなどの）セル（たとえば、コンポーネントキャリア）をサポートし得る。ＵＥは、マクロｅＮＢ、スモールセルｅＮＢ、リレー基地局などを含む、様々なタイプの基地局およびネットワーク機器と通信することが可能であり得る。
【０２５７】
[0265]本明細書で説明される１つまたは複数のワイヤレス通信システムは、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【０２５８】
[0266]本明細書で説明されるダウンリンク送信は順方向リンク送信と呼ばれることもあり、アップリンク送信は逆方向リンク送信と呼ばれることもある。たとえば、図１および図２のワイヤレス通信システム１００および２００を含む、本明細書で説明される各通信リンクは、１つまたは複数のキャリアを含み得、ここで、各キャリアは、複数の(multiple)サブキャリアからなる信号（たとえば、異なる周波数の波形信号）であり得る。各被変調信号は、異なるサブキャリア上で送られ得、制御情報（たとえば、基準信号、制御チャネルなど）、オーバーヘッド情報、ユーザデータなどを搬送し得る。本明細書で説明される通信リンク（たとえば、図１の通信リンク１２５）は、周波数分割複信（ＦＤＤ）動作を使用して（たとえば、対スペクトルリソースを使用して）または時分割複信（ＴＤＤ）動作を使用して（たとえば、不対スペクトルリソースを使用して）双方向通信を送信し得る。周波数分割複信（ＦＤＤ）（たとえば、フレーム構造タイプ１）およびＴＤＤ（たとえば、フレーム構造タイプ２）のためのフレーム構造が定義され得る。
【０２５９】
[0267]添付の図面に関して本明細書に記載された説明は、例示的な構成について説明しており、実装され得るまたは特許請求の範囲内に入るすべての例を表すとは限らない。本明細書で使用される「例示的」という用語は、「例、事例、または例示の働きをすること」を意味し、「好ましい」または「他の例よりも有利な」を意味しない。詳細な説明は、説明される技法の理解を与えるための具体的な詳細を含む。ただし、これらの技法は、これらの具体的な詳細なしに実施され得る。いくつかの事例では、説明される例の概念を不明瞭にすることを回避するために、よく知られている構造およびデバイスがブロック図の形式で示される。
【０２６０】
[0268]添付の図では、同様の構成要素または特徴は同じ参照ラベルを有し得る。さらに、同じタイプの様々な構成要素は、参照ラベルの後に、ダッシュと、それらの同様の構成要素の間で区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【０２６１】
[0269]本明細書で説明される情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２６２】
[0270]本明細書の開示に関して説明される様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、デジタル信号プロセッサ（ＤＳＰ）とマイクロプロセッサとの組合せ、複数の(multiple)マイクロプロセッサ、ＤＳＰコアと連携する１つまたは複数のマイクロプロセッサ、または任意の他のそのような構成）としても実装され得る。
【０２６３】
[0271]本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、Ａ、Ｂ、またはＣのうちの少なくとも１つの列挙が、ＡまたはＢまたはＣまたはＡＢまたはＡＣまたはＢＣまたはＡＢＣ（すなわち、ＡおよびＢおよびＣ）を意味するような包括的列挙を示す。
【０２６４】
[0272]コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、デジタル加入者回線（ＤＳＬ）、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２６５】
[0273]本明細書の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に本願発明の当初の特許請求の範囲に記載された発明を付記する。
［Ｃ１］
ワイヤレス通信の方法であって、
システム帯域幅の第１の周波数帯域中で、送信時間間隔（ＴＴＩ）中に第１のアップリンクメッセージを送信することと、
第２のＴＴＩの第１の部分中に、送信機を前記システム帯域幅の第２の周波数帯域に再チューンすることと、および
前記第２の周波数帯域中で、前記第２のＴＴＩの第２の部分中に第２のアップリンクメッセージを送信することと
を備える、方法。
［Ｃ２］
前記第２のＴＴＩの前記第１の部分の持続時間が、ユーザ機器（ＵＥｓ）の間の特定された再チューニング時間に少なくとも部分的に基づく、Ｃ１に記載の方法。
［Ｃ３］
前記第２のアップリンクメッセージを送信することが、前記第２のＴＴＩの前記第１の部分の周りでレートマッチングすることを備える、
をさらに備える、Ｃ１に記載の方法。
［Ｃ４］
前記第２のＴＴＩの前記第１の部分の持続時間が、前記送信機の再チューニング能力に少なくとも部分的に基づく、Ｃ１に記載の方法。
［Ｃ５］
前記第２のＴＴＩの前記第２の部分が、前記第２のＴＴＩの前記第１の部分によってパンクチャされる、Ｃ４に記載の方法。
［Ｃ６］
再チューニング能力を示すシグナリングを送信することをさらに備え、ここにおいて、前記第２のＴＴＩの前記第１の部分の持続時間が、前記再チューニング能力に少なくとも部分的に基づく、
Ｃ１に記載の方法。
［Ｃ７］
ワイヤレス通信の方法であって、
システム帯域幅の第１の周波数帯域中で、第１の送信時間間隔（ＴＴＩ）中に第１のダウンリンクメッセージを受信することと、
第２のＴＴＩの第１の部分中に、受信機を前記システム帯域幅の第２の周波数帯域に再チューンすることと、および
前記第２の周波数帯域中で、前記第２のＴＴＩの第２の部分中に第２のダウンリンクメッセージを受信することと
を備える、方法。
［Ｃ８］
前記第２のＴＴＩの前記第１の部分が、前記第２のＴＴＩのデータ領域の一部と制御領域とを備える、Ｃ７に記載の方法。
［Ｃ９］
前記第２のＴＴＩの前記第１の部分が前記第２のダウンリンクメッセージの一部を備えると決定することと、および
他のデータを備えるシンボルによって前記第２のダウンリンクメッセージがパンクチャされるという仮定に少なくとも部分的に基づいて、前記第２のダウンリンクメッセージを復号することと
をさらに備える、Ｃ８に記載の方法。
［Ｃ１０］
再チューニング能力を示すシグナリングを送信することをさらに備え、ここにおいて、前記第２のＴＴＩの前記第１の部分の持続時間が、前記再チューニング能力に少なくとも部分的に基づく、
Ｃ７に記載の方法。
［Ｃ１１］
前記第２のダウンリンクメッセージが、前記第１のダウンリンクメッセージの周りでレートマッチングされる、Ｃ７に記載の方法。
［Ｃ１２］
前記第２のＴＴＩの前記第１の部分が、前記第２のＴＴＩの初期シンボル期間を備え、ここにおいて、前記方法が、
前記第２のＴＴＩの前記初期シンボル期間以外の前記第２のＴＴＩのシンボル中で基準信号を受信することを備える、
Ｃ７に記載の方法。
［Ｃ１３］
前記ＴＴＩの基準信号を使用して、チャネル推定、周波数追跡、または時間追跡を実行すること、ここにおいて、前記基準信号のパターンが、前記第１から前記第２の周波数帯域にチューンするためのものとしての前記ＴＴＩの前記指定に少なくとも部分的に基づく、
をさらに備える、Ｃ１２に記載の方法。
［Ｃ１４］
前記システム帯域幅の前記第１の周波数帯域から前記システム帯域幅の前記第２の周波数帯域にチューンするために前記第２のＴＴＩが指定されたことを示すシグナリングを受信すること
をさらに備える、Ｃ１２に記載の方法。
［Ｃ１５］
前記シグナリングがシステム情報を備える、Ｃ１４に記載の方法。
［Ｃ１６］
ワイヤレス通信のための装置であって、
システム帯域幅の第１の周波数帯域中で、送信時間間隔（ＴＴＩ）中に第１のアップリンクメッセージを送信するための手段と、
第２のＴＴＩの第１の部分中に、送信機を前記システム帯域幅の第２の周波数帯域に再チューンするための手段と、および
前記第２の周波数帯域中で、前記第２のＴＴＩの第２の部分中に第２のアップリンクメッセージを送信するための手段と
を備える、装置。
［Ｃ１７］
前記第２のＴＴＩの前記第１の部分の持続時間が、ユーザ機器（ＵＥｓ）の間の特定された再チューニング時間に少なくとも部分的に基づく、Ｃ１６に記載の装置。
［Ｃ１８］
前記第２のＴＴＩの前記第１の部分の周りでレートマッチングするための手段
をさらに備える、Ｃ１６に記載の装置。
［Ｃ１９］
前記第２のＴＴＩの前記第１の部分の持続時間が、前記送信機の再チューニング能力に少なくとも部分的に基づく、Ｃ１６に記載の装置。
［Ｃ２０］
前記第２のＴＴＩの前記第２の部分が、前記第２のＴＴＩの前記第１の部分によってパンクチャされる、Ｃ１９に記載の装置。
［Ｃ２１］
再チューニング能力を示すシグナリングを送信するための手段をさらに備え、ここにおいて、前記第２のＴＴＩの前記第１の部分の持続時間が、前記再チューニング能力に少なくとも部分的に基づく、
Ｃ１６に記載の装置。
［Ｃ２２］
ワイヤレス通信のための装置であって、
システム帯域幅の第１の周波数帯域中で、第１の送信時間間隔（ＴＴＩ）中に第１のダウンリンクメッセージを受信するための手段と、
第２のＴＴＩの第１の部分中に、受信機を前記システム帯域幅の第２の周波数帯域に再チューンするための手段と、および
前記第２の周波数帯域中で、前記第２のＴＴＩの第２の部分中に第２のダウンリンクメッセージを受信するための手段と
を備える、装置。
［Ｃ２３］
前記第２のＴＴＩの前記第１の部分が、前記第２のＴＴＩのデータ領域の一部と制御領域とを備える、Ｃ２２に記載の装置。
［Ｃ２４］
前記第２のＴＴＩの前記第１の部分が前記第２のダウンリンクメッセージの一部を備えると決定するための手段と、
他のデータを備えるシンボルによって前記第２のダウンリンクメッセージがパンクチャされるという仮定に少なくとも部分的に基づいて、前記第２のダウンリンクメッセージを復号するための手段と
をさらに備える、Ｃ２３に記載の装置。
［Ｃ２５］
再チューニング能力を示すシグナリングを送信するための手段をさらに備え、ここにおいて、前記第２のＴＴＩの前記第１の部分の持続時間が、前記再チューニング能力に少なくとも部分的に基づく、
Ｃ２２に記載の装置。
［Ｃ２６］
前記第２のダウンリンクメッセージが、前記第１のダウンリンクメッセージの周りでレートマッチングされる、Ｃ２２に記載の装置。
［Ｃ２７］
前記第２のＴＴＩの前記第１の部分が、前記第２のＴＴＩの初期シンボル期間を備え、ここにおいて、前記方法が、前記第２のＴＴＩの前記初期シンボル期間以外の前記第２のＴＴＩのシンボル中で基準信号を受信することを備える、Ｃ２２に記載の装置。
［Ｃ２８］
前記ＴＴＩの基準信号を使用して、チャネル推定、周波数追跡、または時間追跡を実行するための手段、ここにおいて、前記基準信号のパターンが、前記第１から前記第２の周波数帯域にチューンするためのものとしての前記ＴＴＩの前記指定に少なくとも部分的に基づく、
をさらに備える、Ｃ２７に記載の装置。
［Ｃ２９］
前記システム帯域幅の前記第１の周波数帯域から前記システム帯域幅の前記第２の周波数帯域にチューンするために前記第２のＴＴＩが指定されたことを示すシグナリングを受信するための手段
をさらに備える、Ｃ２７に記載の装置。
［Ｃ３０］
前記シグナリングがシステム情報を備える、Ｃ２９に記載の装置。
【図１】
0006772196.tif 000002
【図２】
0006772196.tif 000003
【図３Ａ】
0006772196.tif 000004
【図３Ｂ】
0006772196.tif 000005
【図３Ｃ】
0006772196.tif 000006
【図３Ｄ】
0006772196.tif 000007
【図３Ｅ】
0006772196.tif 000008
【図４Ａ】
0006772196.tif 000009
【図４Ｂ】
0006772196.tif 000010
【図５】
0006772196.tif 000011
【図６】
0006772196.tif 000012
【図７】
0006772196.tif 000013
【図８】
0006772196.tif 000014
【図９】
0006772196.tif 000015
【図１０】
0006772196.tif 000016
【図１１】
0006772196.tif 000017
【図１２】
0006772196.tif 000018
【図１３】
0006772196.tif 000019
【図１４】
0006772196.tif 000020
【図１５】
0006772196.tif 000021
【図１６】
0006772196.tif 000022
【図１７】
0006772196.tif 000023
【図１８】
0006772196.tif 000024
【図１９】
0006772196.tif 000025
【図２０】
0006772196.tif 000026
【図２１】
0006772196.tif 000027
【図２２】
0006772196.tif 000028
【図２３】
0006772196.tif 000029